(57)【要約】【課題】少量の水及び金属イオンを用いて構成部材を安価に清掃することができる洗濯機の提供。【解決手段】洗濯物が収容される有底筒状の内槽２１内の底部に、パルセータ５が回転自在に取り付けられている。パルセータ５は回転によって内槽２１内の水を撹拌する。制御装置４は、駆動モータ３に内槽２１を回転させている間に、給水弁７１を開放し、水溜め部７３内に配置されている対向電極板間に電圧を印加することによって、金属イオンを含む金属イオン水を内槽２１内に供給する。【選択図】図１
2015029842.tif 000002
【特許請求の範囲】
【請求項１】
洗濯物が収容される有底筒状の収容体と、該収容体を回転させる収容体駆動手段と、該収容体内の底部に回転自在に取付けられて、回転によって前記収容体内の水を撹拌する撹拌翼と、前記収容体に金属イオンを含む金属イオン水を供給するイオン水供給手段とを備える洗濯機において、
前記イオン水供給手段は、前記収容体駆動手段が前記収容体を回転させている間に前記金属イオン水を供給するように構成してあること
を特徴とする洗濯機。
【請求項２】
前記イオン水供給手段は、前記収容体駆動手段が行う前記収容体の回転によって、前記撹拌翼の前記底部側が前記金属イオン水に接触する水量の前記金属イオン水を供給するように構成してあること
を特徴とする請求項１に記載の洗濯機。
【請求項３】
洗濯物が収容される有底筒状の収容体と、該収容体を回転させる収容体駆動手段とを備え、前記収容体に濯ぎ水を供給して濯ぎを行う洗濯機において、
前記収容体に金属イオンを含む金属イオン水を供給するイオン水供給手段を備え、
該イオン水供給手段は、前記金属イオン水の供給によって、前記収容体内に、前記濯ぎで該収容体に貯留される濯ぎ水の水位よりも低い水位の水を貯留し、
前記収容体駆動手段は、前記金属イオン水が供給された前記収容体を回転させるように構成してあること
を特徴とする洗濯機。
【請求項４】
前記収容体駆動手段は、
第１速度の回転と、該第１速度よりも速い第２速度の回転とを交互に繰り返し、
前記第１速度及び第２速度の回転を繰り返した後に、前記第２速度よりも速い第３速度の回転を行うように構成してあること
を特徴とする請求項３に記載の洗濯機。
【請求項５】
前記収容体内の空気が循環する循環風路と、
該循環風路に配置され、前記空気を循環させる送風機と、
前記循環風路内にイオンを発生させるイオン発生器と
を備えることを特徴とする請求項１から請求項４のいずれか１つに記載の洗濯機。
【請求項６】
前記イオン水供給手段は、
前記収容体に水を供給する水供給手段と、
該水供給手段が供給する水の経路に配置され、該水に浸漬され、板面が互いに対向する対向電極板と、
該対向電極板間に電圧を印加することによって、前記水供給手段が供給した水に前記金属イオンを溶出する溶出手段と
を有し、
前記対向電極板夫々の幅について、前記一端側における幅は、前記他端側における幅よりも短いこと
を特徴とする請求項１から請求項５のいずれか１つに記載の洗濯機。
【発明の詳細な説明】
【技術分野】
【０００１】
本発明は、金属イオンを含む金属イオン水を用いる洗濯機に関する。
【背景技術】
【０００２】
近年、濯ぎ運転で、洗濯物を収容する収容体に、抗菌及び防臭の作用を有する金属イオン、例えば銀イオン（Ａｇ＋イオン）を含む金属イオン水を濯ぎ水として供給し、濯ぎを行う洗濯機が実用化されている（例えば、特許文献１参照）。金属イオンによる抗菌及び防臭の作用は、細胞膜を構成する呼吸鎮酵素がＳＨ基を持つ雑菌、例えば黄色ブドウ状球菌に接触したとき、ＳＨ基のＨが金属イオンによって置換され、菌細胞が不活性化することにより生じる。
【０００３】
特許文献１に記載の洗濯機では、洗濯物が収容される収容体として機能する回転ドラムに濯ぎ水として金属イオン水を供給し、回転ドラムを回転させることによって、濯ぎを行う。ここで、回転ドラムに供給した濯ぎ水に含まれる金属イオンは、回転ドラム内の洗濯物に接触して、洗濯物に付着する雑菌を分解して除菌する。また、金属イオンは、洗濯物の表面をコーティングし、仕上がり後の雑菌の付着を抑制し、雑菌に起因する臭いの発生を防止することができる。
【０００４】
更に、回転ドラムに供給された水に含まれる金属イオンは、回転ドラムにも作用するため、回転ドラムの表面に黒カビ等が発生することを抑制することができ、回転ドラム内を清掃することができる。
【０００５】
洗濯物を収容する有底円筒状の収容体内の底部にパルセータが回転自在に取付けられた洗濯機においても、収容体に金属イオン水が供給された状態でパルセータを回転させることによって濯ぎを行った場合、洗濯物、収容体及びパルセータ夫々の除菌及び防臭を行うことができる。
【先行技術文献】
【特許文献】
【０００６】
【特許文献１】特開２００４−２１５８１７号公報
【発明の概要】
【発明が解決しようとする課題】
【０００７】
以上のように構成される従来の洗濯機においては、洗濯物の除菌及び防臭を主な目的として金属イオン水が用いられている。
このため、収容体又はパルセータ等の洗濯機の構成部材の除菌及び防臭が主な目的である場合においても、濯ぎ水に金属イオン水を用いて洗濯物を濯がなければならない。従って、従来の洗濯機では、洗濯物の除菌及び防臭に必要な水及び金属イオンが供給されるため、洗濯機の構成部材の清掃に、多量の水及び金属イオンが必要になるという問題がある。
【０００８】
本発明は斯かる事情に鑑みてなされたものであり、その目的とするところは、少量の水及び金属イオンを用いて構成部材を安価に清掃することができる洗濯機を提供することにある。
【課題を解決するための手段】
【０００９】
本発明に係る洗濯機は、洗濯物が収容される有底筒状の収容体と、該収容体を回転させる収容体駆動手段と、該収容体内の底部に回転自在に取付けられて、回転によって前記収容体内の水を撹拌する撹拌翼と、前記収容体に金属イオンを含む金属イオン水を供給するイオン水供給手段とを備える洗濯機において、前記イオン水供給手段は、前記収容体駆動手段が前記収容体を回転させている間に前記金属イオン水を供給するように構成してあることを特徴とする。
【００１０】
本発明に係る洗濯機は、前記イオン水供給手段は、前記収容体駆動手段が行う前記収容体の回転によって、前記撹拌翼の前記底部側が前記金属イオン水に接触する水量の前記金属イオン水を供給するように構成してあることを特徴とする。
【００１１】
本発明に係る洗濯機は、洗濯物が収容される有底筒状の収容体と、該収容体を回転させる収容体駆動手段とを備え、前記収容体に濯ぎ水を供給して濯ぎを行う洗濯機において、前記収容体に金属イオンを含む金属イオン水を供給するイオン水供給手段を備え、該イオン水供給手段は、前記金属イオン水の供給によって、前記収容体内に、前記濯ぎで該収容体に貯留される濯ぎ水の水位よりも低い水位の水を貯留し、前記収容体駆動手段は、前記金属イオン水が供給された前記収容体を回転させるように構成してあることを特徴とする。
【００１２】
本発明に係る洗濯機は、前記収容体駆動手段は、第１速度の回転と、該第１速度よりも速い第２速度の回転とを交互に繰り返し、前記第１速度及び第２速度の回転を繰り返した後に、前記第２速度よりも速い第３速度の回転を行うように構成してあることを特徴とする。
【００１３】
本発明に係る洗濯機は、前記収容体内の空気が循環する循環風路と、該循環風路に配置され、前記空気を循環させる送風機と、前記循環風路内にイオンを発生させるイオン発生器とを備えることを特徴とする。
【００１４】
本発明に係る洗濯機は、前記イオン水供給手段は、前記収容体に水を供給する水供給手段と、該水供給手段が供給する水の経路に配置され、該水に浸漬され、板面が互いに対向する対向電極板と、該対向電極板間に電圧を印加することによって、前記水供給手段が供給した水に前記金属イオンを溶出する溶出手段とを有し、前記対向電極板夫々の幅について、前記一端側における幅は、前記他端側における幅よりも短いことを特徴とする。
【発明の効果】
【００１５】
本発明によれば、少量の水及び金属イオンを用いて構成部材を安価に清掃することができる。
【図面の簡単な説明】
【００１６】
【図１】実施の形態１における洗濯機の内部構成を略示する縦断面図である。
【図２】金属イオンの溶出に用いる対向電極板の外観を略示する斜視図である。
【図３】対向電極板の平面図である。
【図４】対向電極板の側面図である。
【図５】洗濯機の制御系の要部構成を示すブロック図である。
【図６】パルセータ清掃運転を説明するためのタイミングチャートである。
【図７】内槽の回転によって移動する洗濯物の配置図である。
【図８】パルセータ清掃運転における金属イオン水の移動を説明するための説明図である。
【図９】実施の形態２における内槽清掃運転の処理を示すフローチャートである。
【図１０】内槽の清掃処理を実行する前の内槽内の状態を示す状態図である。
【図１１】駆動モータが内槽を低速度で回転させた場合における内槽内の状態を示す状態図である。
【図１２】駆動モータが内槽を中速度で回転させた場合における内槽内の状態を示す状態図である。
【図１３】駆動モータが内槽を高速度で回転させた場合における内槽内の状態を示す状態図である。
【図１４】実施の形態３における洗濯乾燥機の外観を略示する斜視図である。
【図１５】洗濯乾燥機の内部構成を略示する縦断面図である。
【図１６】洗濯乾燥機の制御系の要部構成を示すブロック図である。
【図１７】金属イオン水によるドラム清掃運転を説明するためのタイミングチャートである。
【図１８】金属イオン水によるドラム清掃運転を説明するための説明図である。
【図１９】ＰＣＩ（Plasma Cluster Ion）によるドラム清掃運転を説明するためのタイミングチャートである。
【発明を実施するための形態】
【００１７】
以下、本発明をその実施の形態を示す図面に基づいて詳述する。
（実施の形態１）
図１は実施の形態１における洗濯機の内部構成を略示する縦断面図である。この洗濯機１は、外箱２の内部に、共に有底円筒状をなす外槽２０及び内槽２１を備える。外槽２０は、一側の開口を上に向け、複数本の支持棒２２，２２，・・・（１本のみ図示）により、外箱２の内部に吊り下げ支持されている。支持棒２２，２２，・・・は、公知のように、バネ及びダンパを並設し、制御機能を有するように構成されている。
【００１８】
外槽２０の底面中央部には、排水受け２３が設けてあり、外槽２０の底部外面には、駆動モータ３が取付けてある。駆動モータ３の出力端は、排水受け２３の底面を経て外槽２０の内側中央に突設された駆動軸３０にクラッチ３１を介して接続されている。駆動軸３０は、内外二重に組み合わされた軸であり、駆動モータ３の回転は、クラッチ３１の切換えによって、駆動軸３０の内軸のみに、又は、内軸及び外軸の両方に選択的に伝達される。
【００１９】
駆動モータ３の回転、及び、クラッチ３１の切換え夫々は、外箱２の下部内側に設けられた制御装置４が駆動モータ３及びクラッチ３１に指示を与えることによって実行される。
駆動モータ３には、駆動モータ３の回転数を検出する回転数検出部３２が設置されており、回転数検出部３２は検出した回転数を制御装置４に通知する。
【００２０】
内槽２１は洗濯物を収容する収容体である。内槽２１は、一側の開口を上に向け、外槽２０の内部に同軸をなして収容され、外槽２０の底部に突出する駆動軸３０の外軸に連結されている。このように連結された内槽２１は、外軸を介して伝えられる駆動モータ３の回転に応じて、外槽２０の内部で同軸上にて回転する。また、内槽２１の上部開口には、流体バランサ２４が周設されている。流体バランサ２４は、内部に封入した流体の移動により、内槽２１の回転に伴う振動を抑制する公知の動作をなす。
【００２１】
内槽２１の上部開口近傍の周壁に多数の小孔２５，２５，・・・が等配をなして形成されており、内槽２１に貯留した水は小孔２５，２５，・・・を経て外槽２０に流出することが可能である。また、外槽２０の底面において、排水受け２３の外側に周設された周壁２６が、外槽２０及び内槽２１間を液密に封止するように立設されており、内槽２１の底面には、駆動軸３０の外側の周上に並ぶ複数の排水孔２７，２７，・・・が周壁２６の内側に開設してある。内槽２１に供給された水は、排水孔２７，２７，・・・を経て排水受け２３に流出する。
【００２２】
内槽２１内の底部には、パルセータ５が設けられている。パルセータ５は、外槽２０の底部に突出する駆動軸３０の内軸に連結されている。このように連結されたパルセータ５は、内軸を介して伝えられる駆動モータ３の回転に応じて内槽２１の底面上で回転する。
以上のように、パルセータ５は内槽２１内の底部に回転自在に取付けられている。
【００２３】
パルセータ５は、公知のように、上面に放射状の羽根を有している。パルセータ５が回転した場合、内槽２１内の水は羽根の作用により撹拌される。パルセータ５は回転によって内槽２１内の水を撹拌する撹拌翼として機能する。
【００２４】
駆動モータ３の回転は、クラッチ３１の切換えにより、内槽２１及びパルセータ５に選択的に伝えられ、内槽２１及びパルセータ５は各別に回転する。例えば、駆動モータ３の回転が駆動軸３０の内軸のみに伝達されている場合、パルセータ５は単独で回転し、駆動モータ３の回転が駆動軸３０の内軸及び外軸の両方に伝達されている場合、内槽２１は、パルセータ５と共に同一回転数で回転する。従って、駆動モータ３が内槽２１を回転させている場合、回転数検出部３２が検出する回転数は内槽２１の回転数であり、駆動モータ３がパルセータ５を回転させている場合、回転数検出部３２が検出する回転数はパルセータ５の回転数である。
駆動モータ３は撹拌翼駆動手段及び収容体駆動手段として機能する。
【００２５】
排水受け２３には、外箱２の外部に延びる排水路６０が連結している。排水路６０の中途部には、排水弁６１が設けられている。排水弁６１は制御装置４によって与えられる指示に従って開閉される電磁弁である。
【００２６】
また、排水受け２３と排水弁６１とを結ぶ排水路６０から分岐され、後側に延びる水路に箱体状のケース６２が接続されている。ケース６２の上部には、エアトラップ６３が設けられている。エアトラップ６３は、ケース６２内部に連通する空気室である。エアトラップ６３には、上方に延びる導圧管６４が接続されており、導圧管６４の上端部には水位センサ６５が取付けられている。
【００２７】
排水弁６１が閉止されている場合、内槽２１に供給される水は、排水孔２７，２７，・・・及び排水受け２３を介してケース６２内に入り、ケース６２を満たした後、内槽２１内に貯留される。エアトラップ６３の内部には、ケース６２に水が充満した後にも空気が取り残される。
【００２８】
エアトラップ６３内の空気圧は、ケース６２を底として溜まる内槽２１内の洗濯水の水位の上昇に応じて大きくなる。水位センサ６５は、導圧管６４を介してエアトラップ６３内の空気圧を検出する圧力センサである。水位センサ６５は、検出した空気圧に応じた内槽２１内の水位を制御装置４に通知する。
【００２９】
また、外槽２０の底部の後側には、排水弁６１と洗濯機１の外部とを結ぶ排水路６０に連絡する水路６６が設けられている。小孔２５，２５，・・・を介して、内槽２１から流出した水は水路６６及び排水路６０を経て外部に排出される。
【００３０】
外箱２の上部には、全面を塞ぐように天板１０が取付けられている。天板１０には、上蓋１１による開閉自在に洗濯物の投入口１２が開設されている。投入口１２は、外箱２内に配した外槽２０及び内槽２１の上部開口に臨ませてある。
使用者は、洗濯機１の前側（図１の左側）に立ち、図１中の二点鎖線で示すように上蓋１１を開放し、天板１０に開口する投入口１２から洗濯物を投入することができる。投入された洗濯物は、内槽２１の内部に収容される。
【００３１】
天板１０の前部上面には、各種の操作のための操作部及び各種の表示のための表示部を備える操作パネル１３が設けてある。操作パネル１３は、制御装置４に接続されている。洗濯運転、濯ぎ運転及び脱水運転等は、操作パネル１３の操作に応じた制御装置４の動作により、一連の運転、又は個々に独立した運転として実行される。
【００３２】
天板１０の後部上面には、給水源、例えば水道との接続が可能な接続口７０が設けられている。接続口７０は、外箱２の内側に設けた給水弁７１に接続してある。
給水弁７１は給水管７２と接続しており、給水管７２の給水出口は、内槽２１の上方において、内槽２１の開口の内側に臨むように固設されている。給水管７２には水溜め部７３が介装されており、水溜め部７３内部に、電圧の印加により金属イオン、例えば銀イオンを溶出する対向電極板８ａ，８ｂ（図２参照）が配置されている。
【００３３】
給水弁７１は、制御装置４によって与えられる指示に従って開閉される電磁弁である。給水弁７１が開放されている場合、給水源から供給される水は給水管７２を流れる。給水管７２を流れる水は、水溜め部７３を介して内槽２１内に送り込まれる。このとき、水溜め部７３には水が滞留している。
【００３４】
給水弁７１が開放されて水溜め部７３に水が滞留している状態で、制御装置４が対向電極板８ａ，８ｂ間に電圧を印加することによって、対向電極板８ａ，８ｂ夫々から水溜め部７３の滞留水に金属イオンが溶出される。これにより、金属イオンを含む金属イオン水が内槽２１に供給される。
なお、給水管７２の中途に、水溜め部７３の他に、水溜め部７３の下流側に洗剤ケースを配置し、洗剤を含む水が内槽２１に供給されるように構成することができる。
【００３５】
以上のように構成された洗濯機１が洗濯運転を行う場合、内槽２１に洗濯物が投入された状態で排水弁６１を閉止し、内槽２１に、洗剤を含む洗濯水を供給する。そして、駆動モータ３がパルセータ５を回転させることによって洗濯運転が行われる。内槽２１内の洗濯物は、パルセータ５の回転によって洗濯水と共に撹拌されて洗濯される。洗濯運転は、排水弁６１を開放し、内槽２１内の洗濯水を排水路６０から洗濯機１の外部に排出した後に終了する。
【００３６】
また、洗濯機１が濯ぎ運転を行う場合、内槽２１に洗濯物が投入された状態で排水弁６１を閉止し、内槽２１に、洗剤を含まない濯ぎ水を供給する。そして、駆動モータ３がパルセータ５を回転させることによって濯ぎ運転が行われる。内槽２１内の洗濯物は、パルセータ５の回転によって濯ぎ水と共に撹拌されて濯がれる。濯ぎ運転は、排水弁６１を開放し、内槽２１内の濯ぎ水を排水路６０から洗濯機１の外部に排出した後に終了する。
【００３７】
洗濯運転又は濯ぎ運転を実施した後に脱水運転が行われる。脱水運転は、排水弁６１の開放を維持した状態で内槽２１を高速で回転せしめることによって行われる。内槽２１内の洗濯物は、高速で回転する内槽２１の周壁に張り付いた状態で回転し、洗濯物に含まれる水は、内槽２１の周壁に設けられた小孔２５，２５，・・・を経て外槽２０内に飛び出し、排水路６０を経て洗濯機１の外部へ排出される。
【００３８】
一般的には、洗濯運転及び脱水運転が行われた後、濯ぎ運転及び脱水運転が交互に複数回繰り返される。操作パネル１３は、使用者が操作パネル１３を操作することによって、洗濯物の抗菌及び防臭を行うか否かの選択を受け付けるように構成されている。制御装置４が操作パネル１３を介して洗濯物の抗菌及び防臭を行う選択を使用者から受け付けた場合、最終回の濯ぎ運転では、金属イオン水が内槽２１に供給され、金属イオン水によって濯ぎ運転が行われる。
【００３９】
図２は金属イオンの溶出に用いる対向電極板８ａ，８ｂの外観を略示する斜視図であり、図３は対向電極板８ａ，８ｂの平面図であり、図４は対向電極板８ｂの側面図である。対向電極板８ａ，８ｂが配置されている水溜め部７３は、箱体状をなすケーシング７３ａと、蓋７３ｂとからなる。ケーシング７３ａでは、対向する２つの側面、具体的には水が流れる上流側及び下流側夫々の側面が開放されており、更に、上面が開放されている。ケーシング７３ａにおいて、開放された一方の側面に水が流入する流入口７４が設けられ、開放されたもう一方の側面に水が流出する流出口７５が設けられている。ケーシング７３ａの上側に蓋７３ｂが配置され、蓋７３ｂによってケーシング７３ａの開放されている上面が閉じられている。
【００４０】
対向電極板８ａ，８ｂは板面が対向するように配置されている。対向電極板８ａ，８ｂ夫々は、長手方向が流入口７４から流出口７５に向かう方向であり、板面がケーシング７３ａの底面と垂直をなすように配置されている。対向電極板８ａ，８ｂ間の距離について、対向電極板８ａ，８ｂの流入口７４側における距離は、図３に示すように、対向電極板８ａ，８ｂの流出口７５側における距離よりも長い。
【００４１】
また、対向電極板８ｂの幅（図４における高さ方向の幅）について、図３及び図４に示すように、流入口７４側における幅は、流出口７５側における幅よりも短く、対向電極板８ｂは全体として略台形をなしている。対向電極板８ａは、対向電極板８ｂと同様の形状をなしている。即ち、対向電極８ａの幅ついて、流入口７４側における幅は、流出口７５側における幅よりも短く、対向電極板８ａは全体として略台形をなしている。
【００４２】
対向電極板８ａ，８ｂ夫々について、流入口７４側の端部に電圧を印加するための端子棒８０ａ，８０ｂが取付けられている。具体的には、対向電極板８ａは、板面が端子棒８０ａの周面に巻回するように取付けられている。同様に、対向電極板８ｂは、板面が端子棒８０ｂの周面に巻回するように取付けられている。
【００４３】
端子棒８０ａ，８０ｂ夫々は、軸方向がケーシング７３ａの底面と垂直をなすように配置されている。端子棒８０ｂは、図４に示すようにケーシング７３ａを液密に貫通しており、端子棒８０ａも、端子棒８０ｂと同様にケーシング７３ａを液密に貫通している。
【００４４】
給水弁７１の開放によって水が給水管７２を介して内槽２１に供給され、給水弁７１は水供給手段として機能する。給水管７２を流れた水は、流入口７４から水溜め部７３内に流入し、流出口７５から流出する。このとき、水溜め部７３内、即ち、内槽２１に供給される水の経路に配置された対向電極板８ａ，８ｂは、水溜め部７３に滞留している水に浸漬される。対向電極板８ａ，８ｂが水溜め部７３内で水に浸漬している状態で、制御装置４は、端子棒８０ａ，８０ｂ間に、周期的に極性が切換わる電圧を印加することによって、対向電極板８ａ，８ｂ間に周期的に極性が切換わる電圧を印加する。これにより、対向電極板８ａ，８ｂ間に電流が流れ、対向電極板８ａ，８ｂから金属イオンが、水溜め部７３に滞留している水に溶出され、金属イオンを含む金属イオン水が内槽２１に供給される。
端子棒８０ａ，８０ｂ夫々について、制御装置４が電圧を印加する部分は、ケーシング７３ａの外側に突出している部分である。
【００４５】
以上のように金属イオンの溶出が行われた場合、流出口７５側における対向電極板８ａ，８ｂ間の距離が流入口７４側における対向電極板８ａ，８ｂ間の距離よりも短いため、対向電極板８ａ，８ｂの流出口７５側に多量の電流が流れる。これにより、対向電極板８ａ，８ｂ夫々について、流出口７５側から金属イオンが溶出する。このため、端子棒８０ａ，８０ｂ近傍から金属イオンが溶出して対向電極板８ａ，８ｂ夫々が分断される虞がない。
【００４６】
更に、対向電極板８ａ，８ｂ夫々の幅について、流入口７４側の幅は短く、流出口７５側の幅は長いので、端子棒８０ａ，８０ｂ間に周期的に極性が切換わる電圧が印加された場合に、対向電極板８ａ，８ｂ間に長期間、決められた閾値以上の電流が流れ、長期間、決められた量の金属イオンを含む金属イオン水を安定的に内槽２１に供給することができる。これにより、決められた一定量の金属イオンが持続的に供給される。
【００４７】
図５は洗濯機１の制御系の要部構成を示すブロック図である。制御装置４は、計時部４０、電圧印加部４１、電流検出部４２、入出力部４３、記憶部４４及び制御部４５を備える。制御部４５は、計時部４０、電圧印加部４１、電流検出部４２、入出力部４３及び記憶部４４夫々に共通のバスを介して接続されている。
【００４８】
電圧印加部４１は、更に、端子棒８０ａ，８０ｂ夫々に接続されている。電圧印加部４１は、端子棒８０ａに電流検出部４２を介して接続されている。
入出力部４３は、操作パネル１３、駆動モータ３、水位センサ６５、クラッチ３１、回転数検出部３２、給水弁７１及び排水弁６１に共通のバスを介して接続されている。
【００４９】
操作パネル１３は、電源スイッチ、運転開始を指示するスタートスイッチ、金属イオン水による濯ぎ運転を行うか否かの指示を受け付けるためのスイッチ、及び、金属イオン水を用いてパルセータ５の下側を清掃するパルセータ清掃運転を行うか否かの指示を受け付けるためのスイッチ等を有する。使用者が操作スイッチを操作した場合に操作内容が入出力部４３を介して制御部４５に通知される。
【００５０】
水位センサ６５は、エアトラップ６３内の圧力に基づいて、内槽２１内に貯留してある水の水位を検出し、検出した水位を、入出力部４３を介して制御部４５に通知する。
駆動モータ３の回転数を検出する回転数検出部３２は、検出した回転数を、入出力部４３を介して制御部４５に通知する。前述したように、回転数検出部３２は、駆動モータ３がパルセータ５を回転させている場合にはパルセータ５の回転数を検出し、駆動モータ３が内槽２１を回転させている場合には内槽２１の回転数を検出する。
【００５１】
駆動モータ３は、入出力部４３を介して制御部４５から指示を受け付け、受け付けた指示に従って、パルセータ５又は内槽２１の回転と、該回転の停止とを行う。
クラッチ３１は、入出力部４３を介して制御部４５から指示を受け付け、受け付けた指示に従って、駆動モータ３が回転させる対象をパルセータ５又は内槽２１に切換える。
給水弁７１及び排水弁６１夫々は、入出力部４３を介して制御部４５から与えられる指示に従って開閉される。
【００５２】
計時部４０は、制御部４５から指示を受け付け、受け付けた指示に従って計時を行う。
電圧印加部４１は、制御部４５から指示を受け付け、受け付けた指示に従って、対向電極板８ａ，８ｂ間への電圧の印加と該印加の停止とを行う。ここで、電圧印加部４１は、対向電極板８ａ，８ｂ間に電圧を印加する場合において、対向電極板８ａ，８ｂ間に印加する電圧の極性を周期的に切換えている。これにより、対向電極板８ａ，８ｂ間に流れる電流の方向を周期的に切換えている。対向電極板８ａ，８ｂ間を電流が一方向に流れた場合、対向電極板８ａ，８ｂ中の一方の対向電極板から金属イオンが溶出する。このため、該一方の対向電極板が消耗する。従って、対向電極板８ａ，８ｂ間に流れる電流の方向を周期的に切換えことによって、金属イオンの溶出量が対向電極板８ａ，８ｂで略同一になる。
電流検出部４２は、電圧印加部４１が対向電極板８ａ，８ｂ間に電圧を印加した場合に流れる電流の値（絶対値）を検出し、検出した電流値を制御部４５に通知する。
【００５３】
入出力部４３は、操作パネル１３が受け付けた操作に関する情報、水位センサ６５が検出した水位、及び、回転数検出部３２が検出した回転数夫々を操作パネル１３、水位センサ６５及び回転数検出部３２から受け付け、受け付けた情報を制御部４５に通知する。更に、入出力部４３は、制御部４５から指示を受け付け、受け付けた指示を駆動モータ３、クラッチ３１、給水弁７１及び排水弁６１に与える。
【００５４】
記憶部４４は、洗濯運転、濯ぎ運転及び脱水運転等で内槽２１を回転すべき時間、洗濯運転及び濯ぎ運転等でパルセータ５を回転すべき時間、並びに、内槽２１に供給された水量を計測するための時間等を記憶している。記憶部４４が記憶している内容は制御部４５によって読み出される。
【００５５】
制御部４５は、マイクロコンピュータを用いて構成され、図示しないＲＡＭを作業領域として用い、図示しないＲＯＭに記憶されたコンピュータプログラムに従って洗濯機１の各部を制御し、前述した洗濯運転、濯ぎ運転及び脱水運転を行う。
【００５６】
制御部４５は、内槽２１内に洗濯物が投入された状態で、排水弁６１を閉止し、給水弁７１を開放することによって洗濯水（又は濯ぎ水）を内槽２１内に供給する。そして、制御部４５は、クラッチ３１に指示して、駆動モータ３が回転させる対象をパルセータ５に切換え、駆動モータ３にパルセータ５を回転させ、内槽２１内の洗濯物を洗濯水（又は濯ぎ水）と共に撹拌させる。その後、制御部４５は、排水弁６１を開放して内槽２１内の水を排出する。以上の一連の処理によって制御部４５は洗濯運転（又は濯ぎ運転）を実行する。
【００５７】
更に、制御部４５は、排水弁６１を開放している状態で、クラッチ３１に指示して、駆動モータ３が回転させる対象を内槽２１に切換え、駆動モータ３に内槽２１を回転させることによって脱水運転を行う。このとき、前述したように、内槽２１と共にパルセータ５も回転する。
【００５８】
また、制御部４５は、操作パネル１３を介して、使用者から金属イオン水による濯ぎ運転を行う指示を受け付けた場合、最終回の濯ぎ運転において金属イオン水を内槽２１に供給する。具体的には、制御部４５は、給水弁７１を開放した後、電圧印加部４１に指示して対向電極板８ａ，８ｂ間に、周期的に極性を切換えながら電圧を印加させて給水管７２を流れる水に金属イオンを溶出することによって、金属イオン水を内槽２１に供給する。
電圧印加部４１は溶出手段として機能し、給水弁７１、対向電極板８ａ，８ｂ及び電圧印加部４１を有するイオン水供給ユニットはイオン水供給手段として機能する。
【００５９】
また、制御部４５は、電流検出部４２が検出した電流値が所定電流値未満である場合、対向電極板８ａ，８ｂが取り替えられて電流検出部４２が検出した電流値が所定電流値以上となるまで、対向電極板８ａ，８ｂへの電圧の印加を停止する。
このため、前述したように、対向電極板８ａ，８ｂ夫々の幅について、流入口７４側の幅を流出口７５側の幅よりも短くすることによって、長期間、決められた量の電流が対向電極板８ａ，８ｂ間を流れるので、長期間、金属イオンの溶出を行うことができる。
【００６０】
更に、制御部４５は、操作パネル１３を介して、使用者からパルセータ清掃運転の実行指示を受け付けた場合、最終回の濯ぎ運転が実行された後に、パルセータ清掃運転を実行する。
【００６１】
図６はパルセータ清掃運転を説明するためのタイミングチャートである。図６には、駆動モータ３の動作、排水弁６１の開閉動作、給水弁７１の開閉動作、及び、電圧印加部４１の動作夫々の推移が示されている。
【００６２】
制御部４５は、前述したように、給水弁７１を閉止して駆動モータ３の回転を停止させた状態で、排水弁６１を開放し、内槽２１内の水を洗濯機１の外部へ排出することによって濯ぎ運転を終了する。このとき、当然のことながら、電圧印加部４１は、対向電極板８ａ，８ｂ間の電圧印加を停止している。
【００６３】
パルセータ清掃運転では、制御部４５は、まず、クラッチ３１に指示して駆動モータ３が回転させる対象を内槽２１に切換え、駆動モータ３に内槽２１を回転させ、計時部４０に内槽２１を回転させている回転時間を計時させる。制御部４５は、計時部４０が計時している回転時間が記憶部４４に予め記憶してある第１基準時間に到達した場合、駆動モータ３に指示して内槽２１の回転を停止させる。この運転制御は、最終濯ぎ運転を終了した後、脱水を行うために内槽２１を回転させる制御である。このときの内槽２１の回転数は、洗濯物が内槽２１の内周面に貼り付き、脱水を行える速度であり、例えば９００ｒｐｍ程度に設定されている。
【００６４】
図７は、内槽２１の回転によって移動する洗濯物Ａの配置図である。図７に示すように、駆動モータ３が内槽２１を第１基準時間だけ回転させた場合、遠心力によって洗濯物Ａが内槽２１の周壁に張り付く。このとき、洗濯物Ａは遠心力によって脱水される。
【００６５】
制御部４５は、計時部４０が計時している回転時間が第１基準時間に到達した場合、図６に示すように、駆動モータ３に内槽２１の回転を停止させると共に、排水弁６１を閉止する。そして、制御部４５は、再び排水弁６１を開放する。制御部４５は、給水弁７１の閉止、及び、電圧印加部４１による電圧印加の停止を維持している状態で、クラッチ３１に指示して、駆動モータ３が回転させる対象を内槽２１に切換え、駆動モータ３に内槽２１を回転させる。
【００６６】
制御部４５は、回転数検出部３２が検出した回転数、即ち、内槽２１の回転数が記憶部４４に予め記憶してある基準回転数に到達した場合に、給水弁７１を開放し、内槽２１内に水を供給する。制御部４５は、給水弁７１を開放した後、電圧印加部４１に指示して、対向電極板８ａ，８ｂ間に、極性を周期的に切換えながら電圧を印加させ、金属イオン水を内槽２１に供給する。基準回転数は、パルセータ清掃運転の最初の脱水において回転させる内槽２１の回転数よりも低い回転数に設定されている。
【００６７】
図８は、パルセータ清掃運転における金属イオン水の移動を説明するための説明図である。駆動モータ３が内槽２１を回転させている状態で金属イオン水が内槽２１内に供給された場合、脱水を行うために最初に行った内槽２１の回転で洗濯物Ａを内槽２１の周壁に張り付かせているので、金属イオン水は平面視円盤状をなすパルセータ５の上面に落下する。パルセータ５の上面に落下した金属イオン水は、内槽２１の回転によって生じる遠心力により、内槽２１の周壁に向けて移動し、内槽２１の底面に落下する。内槽２１の底面に落下した金属イオン水は、重力によって排水孔２７に移動しようとする。
【００６８】
ここで、内槽２１の回転によって、再び金属イオン水に対して破線の矢印で示す方向に遠心力が働き、重力と遠心力とのバランスにより、金属イオン水は、内槽２１と共に回転するパルセータ５の下側に定着する。これにより、パルセータ５の下面の抗菌及び防臭が行われ、パルセータ５の下面が清掃される。前述した基準回転数は、金属イオン水がパルセータ５の下側に定着する回転数、例えば、３０ｒｐｍから６０ｒｐｍである。また、基準回転数については、４０ｒｐｍから５０ｒｐｍ程度が好適である。
【００６９】
制御部４５は、電圧印加部４１が、極性を周期的に切換えながら行う電圧の印加を開始した場合、計時部４０に電圧印加部４１が電圧を印加している印加時間の計時を開始させる。そして、制御部４５は、計時部４０が計時している印加時間が第２基準時間に到達した場合に、給水弁７１を閉止すると共に電圧印加部４１に電圧の印加を停止させる。これにより、給水弁７１、対向電極板８ａ，８ｂ及び電圧印加部４１を有するイオン水供給ユニットは、駆動モータ３が行う内槽２１の回転によって、パルセータ５の下側が金属イオン水に接触する水量、例えば２リットルから３リットルの金属イオン水を供給する。
【００７０】
以上のように、パルセータ清掃運転では、給水弁７１、電圧印加部４１及び対向電極板８ａ，８ｂを有するイオン水供給ユニットは、駆動モータ３が内槽２１を回転させている間に金属イオン水を内槽２１に供給する。これにより、イオン水供給ユニットが内槽２１に供給する水の水量は、駆動モータ３が行う内槽２１の回転によって、パルセータ５の下側が金属イオン水に接触する水量でよいため、少量の水及び金属イオンを用いてパルセータ５の下面を安価に清掃することが可能となる。
【００７１】
また、パルセータ清掃運転では、イオン水供給ユニットは、駆動モータ３が内槽２１を回転させて洗濯物Ａが内槽２１の周壁に張り付いた後に金属イオン水を供給するので、洗濯物Ａに吸収される金属イオンの量が少なく、効率的にパルセータ５の下側を清掃することができる。
【００７２】
更に、パルセータ清掃運転では、イオン水供給ユニットは、駆動モータ３によって駆動されている内槽２１の回転数が基準回転数となった後に金属イオン水を供給する。これにより、内槽２１の回転数が、金属イオン水がパルセータ５の下側に定着する回転数となった後に金属イオン水が供給されるので、より少ない金属イオン水でパルセータ５の下面を清掃することができる。
【００７３】
以上のようにパルセータ清掃運転では、使用者が清掃することが難しく、汚れが付着しやすいパルセータ５の下面を金属イオンによって清掃することができ、パルセータ５の下面で菌が繁殖することを抑制することができる。また、使用者は、操作パネル１３を操作してパルセータ清掃運転の実行を指示するだけで容易にパルセータ５の下面を清掃することができる。
【００７４】
図６に示すように、制御部４５は、給水弁７１を閉止すると共に電圧印加部４１に電圧の印加を停止させた後にパルセータ清掃運転が完了したと判断された場合、洗濯物の最終脱水を行うため、駆動モータ４に内槽２１を高速に回転させる。例えば、パルセータ清掃運転の最初に行った脱水で内槽２１が９００ｒｐｍで回転させた場合、パルセータ清掃運転を完了した後に行う最終脱水では、内槽２１は１０００ｒｐｍ以上の回転数で回転する。この内槽２１の回転が所定時間行われて最終脱水が完了した場合、一連の洗濯運転が終了する。
【００７５】
なお、パルセータ清掃運転において、内槽２１の回転数が基準回転数に到達したか否かを回転数検出部３２が検出した回転数を用いて行わなくてもよい。例えば、駆動モータ３が予め決められた所定時間が経過した場合に内槽２１の回転数が基準回転数に到達するように構成されている場合、駆動モータ３が内槽２１の回転を開始してから所定期間経過したか否かによって内槽２１の回転数が基準回転数に到達したか否かを判定してもよい。
【００７６】
また、パルセータ清掃運転において、制御部４５は、内槽２１の回転数が基準回転数となった後に、電圧印加部４１に対向電極板８ａ，８ｂに周期的に極性が切換わる電圧を印加させて金属イオン水を内槽２１に供給しなくてもよい。制御部４５は、例えば、駆動モータ３が内槽２１を回転させた直後に金属イオン水を内槽２１に供給してもよい。
【００７７】
更に、パルセータ清掃運転において、制御部４５は、駆動モータ３に内槽２１を回転させた後に、電圧印加部４１に対向電極板８ａ，８ｂ間に、極性を周期的に切換えながら電圧を印加させて金属イオン水を内槽２１に供給しなくてもよい。制御部４５は、パルセータ清掃運転を開始する場合に、例えば、駆動モータ３に内槽２１を回転させることなく、金属イオン水を内槽２１内に供給してもよい。この場合、排水弁６１は、決められた時間、具体的には、基準の金属イオン水が内槽２１に溜まる時間、閉じられる。
【００７８】
また、パルセータ清掃運転で、給水弁７１、対向電極板８ａ，８ｂ及び電圧印加部４１を有するイオン水供給ユニットが供給する金属イオン水の量は、駆動モータ３が行う内槽２１の回転によって、パルセータ５の下側が金属イオン水に接触する水量でなくてもよく、該水量以上であればよい。
【００７９】
（実施の形態２）
図９は実施の形態２における内槽清掃運転の処理を示すフローチャートである。実施の形態２における洗濯機１は、実施の形態１における洗濯機１と同様に構成されているため、実施の形態２における洗濯機１の構成については同様の符号を付してその説明を省略する。
【００８０】
従って、内槽２１及び駆動モータ３夫々は収容体及び収容体駆動手段として機能する。給水弁７１及び電圧印加部４１は水供給手段及び溶出手段として機能し、給水弁７１、対向電極板８ａ，８ｂ及び電圧印加部４１を有するイオン水供給ユニットはイオン水供給手段として機能する。
【００８１】
実施の形態２における洗濯機１は、実施の形態１における洗濯機１と比較して、パルセータ清掃運転の代わりに、内槽２１の内面を清掃する内槽清掃運転を行う点が異なる。以下では、実施の形態２における洗濯機１について、実施の形態１における洗濯機１と異なる点を説明する。
【００８２】
実施の形態２では、操作パネル１３は、更に、内槽清掃運転を行うか否かの指示を受け付けるためのスイッチを有する。使用者が操作スイッチを操作した場合に操作内容が入出力部４３を介して制御部４５に通知される。
【００８３】
制御部４５は、実施の形態１と同様に洗濯運転、濯ぎ運転及び脱水運転を行う。更に、制御部４５は、操作パネル１３を介して、使用者から内槽清掃運転の実行指示を受け付けた場合、最終回の濯ぎ運転と、濯ぎ運転が実行された後に行われる脱水運転との間に内槽清掃運転を実行する。
【００８４】
内槽清掃運転において、制御部４５は、最初に、図９に示すように、最終回の濯ぎ運転の終了段階で内槽２１内に貯留してある濯ぎ水の一部を洗濯機１の外部へ排出するため、排水弁６１を開放する（ステップＳ１）。これにより、濯ぎ水の一部が内槽２１から排出され、排水弁６１は排水手段として機能する。ステップＳ１は、内槽清掃運転における１つの処理であると共に、濯ぎ運転における１つの処理でもある。
【００８５】
制御部４５は、ステップＳ１を実行した後、水位センサ６５から通知される水位、即ち、内槽２１の水位が記憶部４４に予め記憶してある基準水位であるか否かを判定する（ステップＳ２）。制御部４５は、内槽２１の水位が基準水位ではないと判定した場合（Ｓ２：ＮＯ）、処理をステップＳ２に戻し、内槽２１の水位が基準水位となるまでステップＳ２の判定を繰り返す。
【００８６】
制御部４５は、内槽２１の水位が基準水位であると判定した場合（Ｓ２：ＹＥＳ）、排水弁６１を閉止する（ステップＳ３）。これにより、内槽２１の水位が基準水位となった場合に濯ぎ水の排出が停止され、排水弁６１は停止手段として機能する。次に、制御部４５は、駆動モータ３に内槽２１を回転させる（ステップＳ４）。具体的には、制御部４５は、クラッチ３１に指示した駆動モータ３が回転させる対象を内槽２１に切換えた後、駆動モータ３に内槽２１を回転させる。
【００８７】
制御部４５は、ステップＳ４を実行した後、駆動モータ３が内槽２１を回転させている状態で給水弁７１を開放し（ステップＳ５）、計時部４０に指示して、内槽２１に水が供給されている給水時間の計時を開始させる（ステップＳ６）。
【００８８】
次に、制御部４５は、計時部４０が計時している給水時間が記憶部４４に予め記憶してある第３基準時間を経過したか否かを判定する（ステップＳ７）。制御部４５は、給水時間が第３基準時間を経過していないと判定した場合（Ｓ７：ＮＯ）、処理をステップＳ７に戻し、給水時間が第３基準時間を経過するまでステップＳ７の判定を繰り返す。
これにより、給水時間が第３基準時間を経過するまで、金属イオンを含まない水を内槽２１に供給する。
【００８９】
制御部４５は、給水時間が第３基準時間を経過したと判定した場合（Ｓ７：ＹＥＳ）、電圧印加部４１に対向電極板８ａ，８ｂ間に、極性を周期的に切換えながら電圧を印加させることによって、金属イオン水の供給を開始する（ステップＳ８）。次に、制御部４５は、計時部４０が計時している給水時間が、記憶部４４に予め記憶してあって第３基準時間よりも長い第４基準時間を経過したか否かを判定する（ステップＳ９）。
【００９０】
制御部４５は、給水時間が第４基準時間を経過していないと判定した場合（Ｓ９：ＮＯ）、処理をステップＳ９に戻し、給水時間が第４基準時間を経過するまでステップＳ９の判定を繰り返す。
これにより、給水時間が第３基準時間を経過してから第４基準時間を経過するまで、給水弁７１、対向電極板８ａ，８ｂ及び電圧印加部４１を有するイオン水供給ユニットは金属イオン水を内槽２１内に供給し続ける。
【００９１】
制御部４５は、給水時間が第４基準時間を経過したと判定した場合（Ｓ９：ＹＥＳ）、計時部４０に指示して給水時間の計時を終了させ（ステップＳ１０）、電圧印加部４１に対向電極板８ａ，８ｂ間への周期的に極性が切換わる電圧の印加を停止させることによって金属イオン水の供給を終了する（ステップＳ１１）。制御部４５は、ステップＳ１１を実行した後、給水弁７１を閉止し（ステップＳ１２）、内槽２１の清掃処理を実行する（ステップＳ１３）。制御部４５はステップＳ１３を実行した後内槽清掃運転を終了する。
【００９２】
ステップＳ１からＳ１２の処理において、給水弁７１、対向電極板８ａ，８ｂ及び電圧印加部４１を有するイオン水供給ユニットによる金属イオン水の供給によって、内槽２１内に、濯ぎ運転で内槽２１に貯留される濯ぎ水の水位よりも低い水位の水が貯留される。
【００９３】
次に、制御部４５がステップＳ１３で実行する内槽２１の清掃処理を説明する。図１０は、内槽２１の清掃処理を実行する前の内槽内の状態を示す状態図である。図１０には、濯ぎ運転が実行された後に、洗濯物Ａが投入されている内槽２１内の水Ｗが基準水位になった場合における内槽２１内の状態が示されている。前述したように、水Ｗが基準水位になった後、駆動モータ３が内槽２１を回転させている状態で金属イオン水が内槽２１内に供給される。金属イオン水が内槽２１内に供給された後、内槽２１の清掃処理が開始される。
【００９４】
制御部４５は、まず、クラッチ３１に指示して駆動モータ３が回転させる対象を内槽２１に切換えた後、駆動モータ３に指示して、第１速度に該当する低速度で内槽２１を回転させる。
図１１は、駆動モータ３が内槽２１を低速度で回転させた場合における内槽２１内の状態を示す状態図である。内槽２１の低速回転により、金属イオンを含む水Ｗは、図１１に示すように、内槽２１の低速回転によって生じた遠心力によって、内槽２１の周壁の下側に接触し、内槽２１の周壁の下側を清掃する。
【００９５】
次に、制御部４５は、駆動モータ３に指示して、第２速度に該当する中速度で内槽２１を回転させる。
図１２は、駆動モータ３が内槽２１を中速度で回転させた場合における内槽２１内の状態を示す状態図である。内槽２１の中速回転によって生じる遠心力は、内槽２１の低速回転によって生じる遠心力よりも大きいため、金属イオンを含む水Ｗは、図１２に示すように、内槽２１の周壁の中央部に接触し、内槽２１の周壁における中央部を清掃する。
【００９６】
制御部４５は、駆動モータ３に、内槽２１の低速回転及び中速回転を交互に繰り返させる。制御部４５は、駆動モータ３が内槽２１の低速回転及び中速回転を交互に記憶部４４に予め記憶してある基準回数だけ繰り返した後、駆動モータ３に、第３速度に該当する高速度で内槽２１を回転させる。
図１３は、駆動モータ３が内槽２１を高速度で回転させた場合における内槽２１内の状態を示す状態図である。内槽２１の高速回転によって生じる遠心力は、内槽２１の中速回転によって生じる遠心力よりも大きいため、金属イオンを含む水Ｗは、図１３に示すように、内槽２１の周壁の上側に接触し、内槽２１の周壁における上側を清掃する。
【００９７】
これにより、内槽２１内の制御部４５は内槽２１の清掃運転を終了する。駆動モータ３によって内槽２１の低速回転、中速回転又は高速回転が行われた場合、遠心力によって洗濯物Ａは内槽２１の周壁に張り付くが、金属イオンを含む水Ｗは内槽２１の周壁と洗濯物Ａとの間に入り込み、内槽２１内の周壁を清掃する。
【００９８】
制御部４５は、駆動モータ３が内槽２１を高速度で回転させた状態で脱水運転を行う。このため、制御部４５が駆動モータ３に内槽２１を高速度で回転させる処理は、内槽清掃運転の１つの処理であると共に脱水運転の１つの処理でもある。
【００９９】
以上のように内槽清掃運転では、駆動モータ３は、金属イオン水が供給された内槽２１を低速度、中速度及び高速度で回転させる。このとき、内槽２１に貯留されている水Ｗの水位は、濯ぎ運転で内槽２１に貯留される濯ぎ水の水位より低い。このため、少量の金属イオン水、即ち、少量の水及び金属イオンを用いて内槽２１内の周壁を安価に清掃することができる。
【０１００】
また、内槽清掃運転では、制御部４５が、排水弁６１に指示して、全ての濯ぎ水が洗濯機１の外部に排出される前に濯ぎ水の排出を停止させた後、駆動モータ３が内槽２１を回転させ、イオン水供給ユニットは金属イオン水を内槽２１に供給する。従って、濯ぎ運転で用いた水が更に内槽２１内の周壁の清掃で用いられるため、より少ない水で濯ぎ運転及び内槽２１の清掃を行うことができる。
【０１０１】
更に、内槽清掃運転では、計時部４０が計時している給水時間が第３時間を経過するまで、金属イオンを含まない所定量の水が内槽２１に供給される。電圧印加部４１は、所定量の水が内槽２１に供給された後に、対向電極板８ａ，８ｂ間に周期的に極性が切換わる電圧を印加することによって金属イオンを溶出する。このように、金属イオン水を最後に内槽２１内に供給することによって、対向電極板８ａ，８ｂから溶出した金属イオンが内槽２１内の周壁の清掃により効率的に用いられる。
【０１０２】
また、内槽清掃運転では、駆動モータ３が低速度及び中速度の回転を交互に繰り返すことによって、内槽２１内の周壁の下側及び中央部を清掃することができる。更に、低速度及び中速度の回転を繰り返した後、駆動モータ３が高速度の回転を行うことによって内槽２１内の周壁の上側を清掃することができる。使用者は、操作パネル１３を操作して内槽清掃運転の実行を指示するだけで容易に内槽２１内の周壁を清掃することができる。
【０１０３】
なお、実施の形態２の内槽清掃運転において、基準水位の濯ぎ水が貯留される内槽２１内への水の供給方法は、金属イオンを含まない水を供給した後に金属イオン水を供給する方法に限定されない。基準水位の濯ぎ水が貯留される内槽２１内への水の供給方法は、金属イオン水を供給した後に金属イオンを含まない水を供給する方法、又は、金属イオンを含まない水を供給せずに金属イオン水を供給する方法等であってもよい。
【０１０４】
また、実施の形態２で制御部４５が行う内槽２１の清掃処理において、制御部４５が駆動モータ３に行われる内槽２１の回転方法は、低速回転及び中速回転を交互に繰り返した後に高速回転を行う方法に限定されず、低速回転、中速回転及び高速回転を含む回転方法であればよい。
また、内槽清掃運転において、濯ぎ運転で用いた濯ぎ水を用いなくてもよく、例えば、給水弁７１を開放によって給水源から供給される水を用いてもよい。
【０１０５】
なお、実施の形態２における内槽２１の清掃処理において、内槽２１を低速度、中速度及び高速度で回転させることを説明した。また、高速度で行う内槽２１の回転は、脱水運転、例えば最終脱水の１つの処理である点を説明した。これとは別に、内槽２１の清掃処理において、低速度と、中速度と、脱水が行われる速度ではないが中速度よりも速い速度とを設定し、３段階の速度設定によって、内槽２１の清掃を行い、この清掃が終了した後に内槽２１を高速で回転させて脱水を行ってもよい。
【０１０６】
（実施の形態３）
図１４は実施の形態３における洗濯乾燥機の外観を略示する斜視図であり、図１５は洗濯乾燥機の内部構成を略示する縦断面図である。この洗濯乾燥機１ｃは、実施の形態２における洗濯機１と比較して、洗濯及び濯ぎの方法が異なる。実施の形態２における洗濯機１は、開口を上に向けた内槽２１の底部に取り付けられたパルセータ５を回転させることによって洗濯運転及び濯ぎ運転を行う。これに対し、洗濯乾燥機１ｃは、後述の回転ドラム４ｃを回転させることによって洗濯運転及び濯ぎ運転を行う。洗濯乾燥機１ｃは、回転ドラム４ｃ内の周壁を金属イオン水によって清掃する。
【０１０７】
洗濯乾燥機１ｃは、外箱２ｃの内部に洗濯槽３ｃ及び回転ドラム４ｃを備えている。洗濯槽３ｃは、一側の端部全面に開口３０ｃを有する大径の有底円筒体であり、外箱２ｃの底面に立設された図示しない複数の支持脚によって、開口３０ｃ側を上向きとし、水平面に対して軸心を傾けた傾斜姿勢を保って弾性支持されている。
【０１０８】
外箱２ｃの前面（図１５の左側）には、洗濯槽３ｃの開口３０ｃを臨む位置に、蓋体２０ｃによる開閉を自在に行えるように、洗濯物の投入口２１ｃが開設してあり、投入口２１ｃと洗濯槽３ｃの開口３０ｃとの間は、ベローズ２２ｃにより液密に封止されている。図１４に示すように、外箱２ｃの前面には、蓋体２０ｃ近傍にドア開ボタン２３ｃが設けてある。蓋体２０ｃは、ドア開ボタン２３ｃの操作により開放される。
【０１０９】
回転ドラム４ｃは、洗濯槽３ｃよりもやや小径の有底円筒体であり、回転ドラム４ｃの一側には洗濯物を投入するための開口４０ｃが開設されている。回転ドラム４ｃは洗濯物が収容される収容体である。回転ドラム４ｃの駆動源となるドラムモータ５ｃは、洗濯槽３ｃの底面の外側に固設してある。ドラムモータ５ｃは、洗濯槽３ｃの底板の中央を液密に貫通して洗濯槽３ｃの内側に突出する出力軸５０ｃを有している。回転ドラム４ｃは、開口４０ｃを洗濯槽３ｃの開口３０ｃの内側に臨ませ、出力軸５０ｃの突出端部に底部を連結して、洗濯槽３ｃ内に同軸上に支持されており、ドラムモータ５ｃの駆動により、洗濯槽３ｃの内部で回転するように構成されている。このように、ドラムモータ５ｃは、回転ドラム４ｃを回転させ、収容体駆動手段として機能する。
【０１１０】
回転ドラム４ｃの周壁には、多数の小孔４１ｃ，４１ｃ，・・・が全面に亘って形成してあり、小孔４１ｃ，４１ｃ，・・・は回転ドラム４ｃの周壁を貫通している。また、周壁の内面には、軸長方向に延びる複数のバッフル４２ｃが、周方向に等配をなして突設されている。なお、図１５には、図面の煩雑化を避けるべく、小孔４１ｃ，４１ｃ，・・・の一部と１つのバッフル４２ｃのみを図示してある。
【０１１１】
図１４に示すように、外箱２ｃの前面上部には、各種の操作のための操作部及び各種表示のための表示部を備える操作パネル２４ｃが設けてある。操作パネル２４ｃは、外箱２ｃの下部内側に設けられている制御装置６ｃに接続してある。洗濯運転、濯ぎ運転、脱水運転及び乾燥運転等は、操作パネル２４ｃの操作に応じた制御装置６ｃの動作により、一連の処理、又は、個々に独立した処理として実行される。
【０１１２】
図１４に示すように、外箱２ｃの後部上面には、給水源、例えば水道との接続が可能な接続口７０ｃが設けてある。この接続口７０ｃは、図１５に示すように、外箱２ｃの内側に設けた給水弁７１ｃに接続してある。給水弁７１ｃは給水管７２ｃと接続しており、給水管７２ｃの給水出口は洗濯槽３ｃの上部周面に接続されている。給水管７２ｃには水溜め部７３ｃが介装されており、水溜め部７３ｃ内部に、電圧の印加により金属イオン、例えば銀イオンを溶出する対向電極板７４ｃ，７４ｄ（図１６参照）が配置されている。
【０１１３】
対向電極板７４ｃ，７４ｄ夫々には端子棒７５ｃ，７５ｄ（図１６参照）が取付けられている。水溜め部７３ｃ、対向電極板７４ｃ，７４ｄ及び端子棒７５ｃ，７５ｄ夫々の形状、配置及び作用は、実施の形態１における水溜め部７３、対向電極板８ａ，８ｂ及び端子棒８０ａ，８０ｂの形状、配置及び作用と同様である。
【０１１４】
給水弁７１ｃは、制御装置６ｃによって与えられる指示に従って開閉される電磁弁である。給水弁７１ｃが開放されている場合、給水源から供給される水は給水管７２ｃを流れる。給水管７２ｃを流れる水は、水溜め部７３ｃを介して洗濯槽３ｃ内に供給される。このとき、水溜め部７３ｃには水が滞留している。洗濯槽３ｃに供給された水は小孔４１ｃ，４１ｃ，・・・を介して回転ドラム４ｃに浸入し、回転ドラム４ｃ内にも供給され、給水弁７１ｃは水供給手段として機能する。
【０１１５】
給水弁７１ｃが開放されて水溜め部７３ｃに水が滞留している状態で、制御装置６ｃは、端子棒７５ｃ，７５ｄ間に電圧を印加することによって、対向電極板７４ｃ，７４ｄ間に電圧を印加する。これにより、対向電極板７４ｃ，７４ｄ夫々から水溜め部７３ｃの滞留水に金属イオンが溶出される。これにより、金属イオンを含む金属イオン水が洗濯槽３ｃ及び回転ドラム４ｃに供給される。
【０１１６】
給水管７２ｃの中途には、水溜め部７３ｃの他に、水溜め部７３ｃの下流側に、公知のように洗剤ケースを配置し、給水源から供給される水と共に適量の洗剤が洗濯槽３ｃの内部に導入されるように構成することができる。
【０１１７】
洗濯槽３ｃには、底板近傍の下部周面に導水管３１ｃが接続されている。導水管３１ｃは、外箱２ｃ内側の前下部に固定支持された筒形のフィルタケース３２ｃに接続されている。フィルタケース３２ｃの内部には、繊維屑等の異物を捕捉するリントフィルタ３３ｃが収容されている。フィルタケース３２ｃの下部には、排水弁３４ｃを介して外箱２ｃの底面に沿って敷設された排水管３５ｃに接続されている。
【０１１８】
フィルタケース３２ｃの下部に設けられた排水弁３４ｃの開放により、洗濯槽３ｃ内に貯留されている水は、導水管３１ｃ及びフィルタケース３２ｃを経て排水管３５ｃに排出される。
【０１１９】
このとき、洗濯水に含まれる異物は、フィルタケース３２ｃ内のリントフィルタ３３ｃによって捕捉され、洗濯水から異物が除去される。これにより、洗濯槽３ｃ内に貯留されている水に含まれる異物が排水管３５ｃを経て下水管に排出される虞がない。
【０１２０】
また、フィルタケース３２ｃは、循環ポンプ３２０の吸込側に接続してあり、循環ポンプ３２０の吐出側は、戻し管３２１を介して洗濯槽３ｃの上部に連通されている。
【０１２１】
排水弁３４ｃが閉止されている場合、洗濯槽３ｃ内に供給された水は、導水管３１ｃを経てフィルタケース３２ｃ内部に入り、フィルタケース３２ｃを満たす。循環ポンプ３２０は、フィルタケース３２ｃ内の水を吸込み、吸込んだ水を昇圧し、戻し管３２１を介して洗濯槽３ｃの上部から回転ドラム４ｃ内に水を噴射する。これにより、回転ドラム４ｃ内にある洗濯物を良好に濡らすことができ、洗濯運転又は濯ぎ運転の効果を高めることができる。
【０１２２】
以上の如く構成された洗濯乾燥機１ｃが洗濯運転を行う場合、蓋体２０ｃを開放し、投入口２１ｃの内側に位置する開口３０ｃ，４０ｃを経て回転ドラム４ｃ内に洗濯物を投入し、蓋体２０ｃを閉じる。蓋体２０ｃを閉じた後、洗濯槽３ｃの内部に洗剤を含む洗濯水を供給する。その後、ドラムモータ５ｃが回転ドラム４ｃを回転させることによって洗濯運転が行われる。
【０１２３】
回転ドラム４ｃは、前述したように、多数の小孔４１ｃ，４１ｃ，・・・と複数のバッフル４２ｃとを有しており、回転ドラム４ｃ内の洗濯物は、小孔４１ｃ，４１ｃ，・・・を介して回転ドラム４ｃ内に浸入した洗濯水に浸され、バッフル４２ｃの作用によって持ち上げ及び落下を繰り返す。洗濯物は、落下時に回転ドラム４ｃの内面に叩きつけられて洗濯される。洗濯運転は、排水弁３４ｃを開放し、洗濯槽３ｃ及び回転ドラム４ｃ内の洗濯水を排水管３５ｃから洗濯乾燥機１ｃの外部に排出した後に終了する。
【０１２４】
洗濯乾燥機１ｃが濯ぎ運転を行う場合、洗濯物が回転ドラム４ｃ内に投入されている状態で、洗濯槽３ｃ及び回転ドラム４ｃの内部に洗剤を含まない濯ぎ水を供給する。その後、ドラムモータ５ｃが回転ドラム４ｃを回転させることによって濯ぎ運転が行われる。回転ドラム４ｃ内の洗濯物は、小孔４１ｃ，４１ｃ，・・・を介して回転ドラム４ｃ内に浸入した洗濯水に浸され、バッフル４２ｃの作用によって持ち上げ及び落下を繰り返す。洗濯物は、落下時に回転ドラム４ｃの内面に叩きつけられて濯がれる。濯ぎ運転も、排水弁３４ｃを開放し、洗濯槽３ｃ及び回転ドラム４ｃ内の洗濯水を排水管３５ｃから洗濯乾燥機１ｃの外部に排出した後に終了する。
【０１２５】
洗濯運転又は濯ぎ運転を実施した後に脱水運転が行われる。排水弁３４ｃが開放されている状態で、ドラムモータ５ｃが回転ドラム４ｃを一方向に回転することによって脱水運転が実施される。洗濯物の残留水分の多くは、回転ドラム４ｃの回転によって生じる遠心力により、多数の小孔４１ｃ，４１ｃ，・・・から洗濯槽３ｃに流れ出て、導水管３１ｃ、フィルタケース３２ｃ及び排水弁３４ｃを介して排水管３５ｃに排出される。このように脱水運転が行われる。
【０１２６】
一般的には、洗濯運転及び脱水運転が行われた後、濯ぎ運転及び脱水運転が交互に複数回繰り返される。操作パネル２４ｃは、使用者が操作パネル２４ｃを操作することによって、洗濯物の抗菌及び防臭を行うか否かの選択を受け付けるように構成されている。制御装置６ｃが操作パネル２４ｃを介して洗濯物の抗菌及び防臭を行う選択を使用者から受け付けた場合、最終回の濯ぎ運転では、金属イオン水が洗濯槽３ｃ及び回転ドラム４ｃ内に供給され、金属イオン水によって濯ぎ運転が行われる。
【０１２７】
図１５には、洗濯槽３ｃ及び回転ドラム４ｃ内の空気が循環する循環風路３７ｃが略示してある。循環風路３７ｃは、洗濯槽３ｃにおける底面の下部に開設された導出口３８ｃと、洗濯槽３ｃにおける開口３０ｃ近傍の上部周面に開設された導入口３９ｃとを連絡してある。
【０１２８】
循環風路３７ｃの中途には、循環風路３７ｃを循環する空気の除湿及び加熱を行うヒートポンプ８ｃ、及び、空気を循環させる送風機９０ｃが導出口３８ｃ側からこの順に配置されている。ヒートポンプ８ｃ及び送風機９０ｃは、共に回転ドラム４ｃの下側に配置されている。
【０１２９】
送風機９０ｃによって起こされた乾燥風は、図１５の白抜き矢符で示すように、導入口３９ｃを経て回転ドラム４ｃ内に入り、回転ドラム４ｃ内から導出口３８ｃを経て循環風路３７ｃに導出される。その後、ヒートポンプ８ｃによって、循環風路３７ｃに導出された空気の除湿及び加熱が行われ、除湿及び加熱が行われた高温低湿の空気は、送風機９０ｃによって再び導入口３９ｃを経て回転ドラム４ｃ内に入る。
【０１３０】
ヒートポンプ８ｃは、蒸発器８０ｃ、凝縮器８１ｃ、圧縮機８２ｃ及び膨張弁８３ｃを備え、これらは冷媒パイプによって接続されており、冷媒は、蒸発器８０ｃ、圧縮機８２ｃ、凝縮器８１ｃ及び膨張弁８３ｃの順に循環する。循環風路３７ｃ内では、蒸発器８０ｃが導出口３８ｃ側に、凝縮器８１ｃが導入口３９ｃ側に設けられている。
【０１３１】
導出口３８ｃから流入した空気は、蒸発器８０ｃに接触し、空気の熱が蒸発器８０ｃ内を通流している冷媒によって吸収される。これにより、空気に含まれる水分が凝縮されて除去され、空気が除湿される。蒸発器８０ｃ内を通流している冷媒は、乾燥風から熱を吸収することによって蒸発する。蒸発した冷媒は、圧縮機８２ｃによって圧縮されて高温高圧の気体となり、凝縮器８１ｃ内を通流する。
【０１３２】
蒸発器８０ｃによって除湿された空気は、凝縮器８１ｃに接触し、凝縮器８１ｃ内を通流する冷媒から放出された熱を加えられる。凝縮器８１ｃ内を通流している冷媒は熱を放出して凝縮する。凝縮した冷媒は膨張弁８３ｃによって減圧された後に再び蒸発器８０ｃ内を通流する。凝縮器８１ｃによって加熱された高温低湿の空気は、送風機９０ｃによって導入口３９ｃから回転ドラム４ｃ内に送り込まれる。
【０１３３】
以上のように構成された循環風路３７ｃを備える洗濯乾燥機１ｃの乾燥運転は、回転ドラム４ｃを回転させるドラムモータ５ｃと、ヒートポンプ８ｃが有する圧縮機８２ｃと、送風機９０ｃとを作動させることによって行われる。
【０１３４】
送風機９０ｃが起風することによって、循環風路３７ｃに空気の流れが生じる。ヒートポンプ８ｃによって除湿及び加熱が行われた高温低湿の空気は、導入口３９ｃから、回転ドラム４ｃの開口４０ｃと、多数の小孔４１ｃ，４１ｃ，・・・とを介して回転ドラム４ｃの内部に吹き込まれる。このとき、回転ドラム４ｃの内部の洗濯物は、回転ドラム４ｃの回転に伴うバッフル４２ｃの作用により持ち上げ及び落下が繰り返されている。この間に、回転ドラム４ｃ内の洗濯物は、回転ドラム４ｃ内に吹き込まれた高温低湿の空気に繰り返し接触することにより、乾燥せしめられる。
【０１３５】
回転ドラム４ｃに導入された空気は、洗濯物から水分を奪って導出口３８ｃに導出される。その後、ヒートポンプ８ｃによって、導出口３８ｃに導出された空気の除湿及び加熱が再び行われ、除湿及び加熱が行われた高温低湿の空気は導入口３９ｃから回転ドラム４ｃ内に導入される。
【０１３６】
また、導入口３９ｃ及び送風機９０ｃの間を接続してある循環風路３７ｃの側壁には、循環風路３７ｃ内に、除菌及び殺菌を行うための正負のイオンを発生させて、循環風路３７ｃを通流する空気に正負のイオンを含ませるイオン発生器９１ｃが設けてある。イオン発生器９１ｃは、コロナ放電により正負のイオンを発生させる。イオン発生器９１ｃは、除菌及び殺菌を行うイオンの一例として、Ｈ+ （Ｈ2 Ｏ）ｍの正イオンと、Ｏ2-（Ｈ2 Ｏ）ｎの負イオンを発生させる。以下、前述した正負のイオンをＰＣＩと記述する。
【０１３７】
イオン発生器９１ｃは、洗濯槽３ｃの除菌及び防臭を行う場合に用いられる。イオン発生器９１ｃは、図示しない放電電極及び誘電電極を有し、放電電極及び誘電電極間に高電圧を印加することによってコロナ放電を起こし、ＰＣＩを発生する。
【０１３８】
操作パネル２４ｃの操作によって、使用者からＰＣＩによる洗濯槽３ｃ及び回転ドラム４ｃの除菌及び防臭を行うように指示されている場合、最終回の脱水運転又は乾燥運転が終了した後に、送風機９０ｃを駆動させると共にイオン発生器９１ｃの放電電極及び誘電電極間に高電圧を印加する。イオン発生器９１ｃによって発生したＰＣＩは、送風機９０ｃによって発生した乾燥風に含まれ、洗濯槽３ｃ及び回転ドラム４ｃ内に送り込まれる。洗濯槽３ｃ及び回転ドラム４ｃ内に送り込まれたＰＣＩは、洗濯槽３ｃ及び回転ドラム４ｃ内の細菌に付着し、除菌する。更に、ＰＣＩは、洗濯槽３ｃ及び回転ドラム４ｃ内でカビ及び浮遊粒子を不活性化させると共に臭気成分を変性させる。これにより、洗濯槽３ｃ及び回転ドラム４ｃ内の除菌及び防臭が行われる。
【０１３９】
図１６は洗濯乾燥機１ｃの制御系の要部構成を示すブロック図である。制御装置６ｃは、計時部６０ｃ、電圧印加部６１ｃ、電流検出部６２ｃ、入出力部６３ｃ、記憶部６４ｃ及び制御部６５ｃを備える。制御部６５ｃは、計時部６０ｃ、電圧印加部６１ｃ、電流検出部６２ｃ、入出力部６３ｃ及び記憶部６４ｃ夫々に共通のバスを介して接続されている。
【０１４０】
電圧印加部６１ｃは、更に、端子棒７５ｃ，７５ｄ夫々に接続されている。電圧印加部６１ｃは、端子棒７５ｃに電流検出部６２ｃを介して接続されている。
入出力部６３ｃは、操作パネル２４ｃ、ドラムモータ５ｃ、圧縮機８２ｃ、送風機９０ｃ、イオン発生器９１ｃ、給水弁７１ｃ、排水弁３４ｃ及び循環ポンプ３２０に共通のバスを介して接続されている。
【０１４１】
操作パネル２４ｃは、電源スイッチ、運転開始を指示するスタートスイッチ、金属イオン水による濯ぎ運転を行うか否かの指示を受け付けるためのスイッチ、及び、回転ドラム４ｃを清掃するドラム清掃運転を行うか否かの指示を受け付けるためのスイッチ等を有する。使用者が操作スイッチを操作した場合に操作内容が入出力部６３ｃを介して制御部６５ｃに通知される。
【０１４２】
ドラムモータ５ｃは、入出力部６３ｃを介して制御部６５ｃから指示を受け付け、受け付けた指示に従って、回転ドラム４ｃの回転と、該回転の停止とを行う。
ヒートポンプ８ｃが有する圧縮機８２ｃは、入出力部６３ｃを介して制御部６５ｃから指示を受け付け、受け付けた指示に従って、冷媒の圧縮と、該圧縮の停止とを行う。
【０１４３】
送風機９０ｃは、入出力部６３ｃを介して制御部６５ｃから指示を受け付け、受け付けた指示に従って、起風と、該起風の停止とを行う。
イオン発生器９１ｃは、入出力部６３ｃを介して制御部６５ｃから指示を受け付け、受け付けた指示に従って、ＰＣＩの発生と、ＰＣＩの発生の停止とを行う。
【０１４４】
給水弁７１ｃ及び排水弁３４ｃ夫々は、入出力部６３ｃを介して制御部６５ｃから与えられる指示に従って開閉される。
循環ポンプ３２０は、入出力部６３ｃを介して制御部６５ｃから指示を受け付け、受け付けた指示に従って、フィルタケース３２ｃ内の水を、戻し管３２１を介して洗濯槽３ｃの上部から回転ドラム４ｃ内に水を供給する。循環ポンプ３２０は、受け付けた指示に従って、フィルタケース３２ｃから回転ドラム４ｃへの水の供給を停止する。
【０１４５】
計時部６０ｃは、制御部６５ｃから指示を受け付け、受け付けた指示に従って計時を行う。
電圧印加部６１ｃは、実施の形態１の電圧印加部４１と同様に、制御部６５ｃから指示を受け付け、受け付けた指示に従って、対向電極板７４ｃ，７４ｄ間への周期的に極性が切換わる電圧の印加と該印加の停止とを行う。
電流検出部６２ｃは、電圧印加部６１ｃが対向電極板７４ｃ，７４ｄ間に、極性を周期的に切換えながら電圧を印加した場合に流れる電流の値を検出し、検出した電流値を制御部６５ｃに通知する。
【０１４６】
入出力部６３ｃは、操作パネル２４ｃが受け付けた操作に関する情報を受け付け、受け付けた情報を制御部６５ｃに通知する。更に、入出力部６３ｃは、制御部６５ｃから指示を受け付け、受け付けた指示をドラムモータ５ｃ、圧縮機８２ｃ、送風機９０ｃ、イオン発生器９１ｃ、給水弁７１ｃ、排水弁３４ｃ及び循環ポンプ３２０に与える。
【０１４７】
記憶部６４ｃは、洗濯運転、濯ぎ運転及び脱水運転等で回転ドラム４ｃを回転すべき時間、並びに、洗濯槽３ｃに供給された水量を計測するための時間等を記憶している。記憶部６４ｃが記憶している内容は制御部６５ｃによって読み出される。
【０１４８】
制御部６５ｃは、マイクロコンピュータを用いて構成され、図示しないＲＡＭを作業領域として用い、図示しないＲＯＭに記憶されたコンピュータプログラムに従って洗濯乾燥機１ｃの各部を制御し、前述した洗濯運転、濯ぎ運転、脱水運転及び乾燥運転を行う。
【０１４９】
制御部６５ｃは、回転ドラム４ｃ内に洗濯物が投入されている状態で、排水弁３４ｃを閉止し、給水弁７１ｃを開放することによって洗濯水（又は濯ぎ水）を洗濯槽３ｃ及び回転ドラム４ｃ内に供給する。そして、制御部６５ｃはドラムモータ５ｃに回転ドラム４ｃを回転させる。その後、制御部６５ｃは、排水弁３４ｃを開放して洗濯槽３ｃ及び回転ドラム４ｃ内の水を排出する。以上の一連の処理によって制御部６５ｃは洗濯運転（又は濯ぎ運転）を実行する。
【０１５０】
制御部６５ｃは、排水弁３４ｃを開放している状態で、ドラムモータ５ｃに回転ドラム４ｃを回転させることによって脱水運転を行う。
制御部６５ｃは、洗濯槽３ｃ及び回転ドラム４ｃ内の水が排水されている状態でヒートポンプ８ｃの圧縮機８２ｃと送風機９０ｃとを作動させ、ドラムモータ５ｃに回転ドラム４ｃを回転させることによって乾燥運転を行う。
【０１５１】
制御部６５ｃは、操作パネル２４ｃを介して、使用者から金属イオン水による濯ぎ運転を行う指示を受け付けた場合、最終回の濯ぎ運転において金属イオン水を洗濯槽３ｃ及び回転ドラム４ｃに供給する。具体的には、制御部６５ｃは、給水弁７１ｃを開放した後、電圧印加部６１ｃに指示して対向電極板７４ｃ，７４ｄ間に、極性を周期的に切換えながら電圧を印加させて給水管７２ｃを流れる水に金属イオンを溶出することによって、金属イオン水を洗濯槽３ｃ及び回転ドラム４ｃに供給する。
電圧印加部６１ｃは溶出手段として機能し、給水弁７１ｃ、対向電極板７４ｃ，７４ｄ及び電圧印加部６１ｃを有するイオン水供給ユニットはイオン供給手段として機能する。
【０１５２】
制御部６５ｃは、電流検出部６２ｃが検出した電流値が所定電流値未満である場合、対向電極板７４ｃ，７４ｄが取り替えられて電流検出部６２ｃが検出した電流値が所定電流値以上となるまで、対向電極板７４ｃ，７４ｄへの電圧の印加を停止する。
【０１５３】
制御部６５ｃは、操作パネル２４ｃを介して、使用者からドラム清掃運転の実行指示を受け付けた場合、最終回の濯ぎ運転と、濯ぎ運転が実行された後に行われる脱水運転との間に金属イオン水を用いたドラム清掃運転を実行し、脱水運転又は乾燥運転を行った後にＰＣＩによるドラム清掃運転を実行する。制御部６５ｃは、ドラム清掃運転の実行指示の他に、金属イオン水による濯ぎ運転の実行指示も受け付けている場合、金属イオン水によるドラム清掃運転を行わず、ＰＣＩによるドラム清掃運転を実行する。
【０１５４】
図１７は金属イオン水によるドラム清掃運転を説明するためのタイミングチャートである。図１７には、ドラムモータ５ｃの動作、給水弁７１ｃの開閉動作、電圧印加部６１ｃの動作、循環ポンプ３２０の作動／停止及び排水弁３４ｃの開閉動作夫々の推移が示されている。
【０１５５】
制御部６５ｃは、前述したように、給水弁７１ｃを閉止してドラムモータ５ｃの回転を停止させた状態で、排水弁３４ｃを開放し、洗濯槽３ｃ及び回転ドラム４ｃ内の水を洗濯乾燥機１ｃの外部へ排出することによって濯ぎ運転を終了する。このとき、当然のことながら、電圧印加部６１ｃによる対向電極板７４ｃ，７４ｄ間の電圧印加と、循環ポンプ３２０とは停止している。
【０１５６】
金属イオン水によるドラム清掃運転では、制御部６５ｃは、まず、排水弁３４ｃを閉止し、給水弁を開放する。これにより、洗濯槽３ｃ及び回転ドラム４ｃへの給水が開始される。その後、制御部６５ｃは、電圧印加部６１ｃに対向電極板７４ｃ，７４ｄ間に極性を周期的に切換えながら電圧を印加させ、金属イオン水を洗濯槽３ｃ及び回転ドラム４ｃへ供給する。制御部６５ｃは、電圧印加部６１ｃが電圧の印加を開始した場合、計時部６０ｃに電圧印加部６１ｃが電圧を印加している第２の印加時間の計時を開始させる。そして、制御部６５ｃは、計時部６０ｃが計時している第２の印加時間が記憶部６４ｃに予め記憶されている第５基準時間に到達した場合に、給水弁７１ｃを閉止し、電圧印加部６１ｃに電圧の印加を停止させる。
【０１５７】
ここで、給水弁７１ｃ、対向電極板７４ｃ，７４ｄ及び電圧印加部６１ｃを有するイオン水供給ユニットによる金属イオン水の供給によって、洗濯槽３ｃ及び回転ドラム４ｃ内に貯留される水の水位は、濯ぎ運転で洗濯槽３ｃ及び回転ドラム４ｃに貯留される濯ぎ水の水位よりも低い。これは、第５基準時間を、洗濯槽３ｃ及び回転ドラム４ｃ内に貯留される水の水位は、濯ぎ運転で洗濯槽３ｃ及び回転ドラム４ｃに貯留される濯ぎ水の水位よりも低くなる時間に設定することによって実現される。
【０１５８】
なお、洗濯槽３ｃから浸入して回転ドラム４ｃ内に貯留された水の水位を検出する図示しない水位センサを用いて、洗濯槽３ｃ及び回転ドラム４ｃ内に貯留される水の水位を、濯ぎ運転で洗濯槽３ｃ及び回転ドラム４ｃに貯留される濯ぎ水の水位よりも低くしてもよい。
【０１５９】
制御部６５ｃは、電圧印加部６１ｃによる電圧の印加を停止して給水弁７１ｃを閉止した後、ドラムモータ５ｃに、例えば、５０ｒｐｍ程度の回転数で、金属イオン水が供給された回転ドラム４ｃを回転させる。ここで、制御部６５ｃは、ドラムモータ５ｃに回転ドラム４ｃの一方向の回転又は反復回転を行わせる。
【０１６０】
制御部６５ｃは、ドラムモータ５ｃに回転ドラム４ｃを回転させた後、循環ポンプ３２０を作動させる。これにより、循環ポンプ３２０は、洗濯槽３ｃ及び回転ドラム４ｃ内の水を吸込み、吸込んだ水を洗濯槽３ｃの上部から回転ドラム４ｃに向けて噴射し、洗濯槽３ｃ及び回転ドラム４ｃ内の水を循環させる。制御部６５ｃは、循環ポンプ３２０を作動させた場合、計時部６０ｃに指示して、循環ポンプ３２０が循環を行っている循環時間を計時させる。制御部６５ｃは、循環時間が記憶部６４ｃに予め記憶してある第６基準時間に到達するまで、循環ポンプ３２０を作動させ続ける。
【０１６１】
図１８は金属イオン水によるドラム清掃運転を説明するための説明図である。循環ポンプ３２０は、洗濯槽３ｃから浸入して回転ドラム４ｃ内に貯留してある水Ｈの一部を吸込み、吸込んだ水を戻し管３２１の噴射口から回転ドラム４ｃに向けて噴射している。これにより、図１８に示すように、回転ドラム４ｃ内の中央から下側全体が、循環ポンプ３２０によって吸込まれた水に接触し、接触した水に含まれる金属イオンによって清掃される。更に、回転ドラム４ｃはドラムモータ５ｃによって回転しているので、回転ドラム４ｃの内面全体が金属イオンを含む水に接触し、清掃される。
このように回転ドラム４ｃは、少量の金属イオン水、即ち、少量の水及び金属イオンを用いて安価に清掃される。
【０１６２】
制御部６５ｃは、計時部６０ｃが計時している循環時間が第６基準時間に到達した場合、図１７に示すように、循環ポンプ３２０の作動を停止し、金属イオン水によるドラム清掃運転を終了する。その後、制御部６５ｃは、排水弁３４ｃを開放して洗濯槽３ｃ及び回転ドラム４ｃに貯留している水Ｈを排出した後、回転ドラム４ｃを一方向に高速に回転させ、脱水運転を実行する。
【０１６３】
図１９はＰＣＩによるドラム清掃運転を説明するためのタイミングチャートである。図１９には、ドラムモータ５ｃの動作、送風機９０ｃの作動／停止及びイオン発生器９１ｃの作動／停止夫々の推移が示されている。制御部６５ｃは、操作パネル２４ｃを介してドラム清掃運転の実行指示を使用者から受け付けている場合、ＰＣＩによるドラム清掃運転は、最終回の脱水運転、又は、乾燥運転が終了した後に行う。
【０１６４】
制御部６５ｃは、ドラムモータ５ｃの作動を停止している状態で送風機９０ｃを作動させ、送風機９０ｃを作動させた後にイオン発生器を作動させる。イオン発生器９１ｃによって発生したＰＣＩを含む空気は、送風機９０ｃによって洗濯槽３ｃ及び回転ドラム４ｃ内に送り込まれる。洗濯槽３ｃ及び回転ドラム４ｃ内に送り込まれた空気に含まれるＰＣＩは、洗濯槽３ｃ及び回転ドラム４ｃ内の細菌に付着し、洗濯槽３ｃ及び回転ドラム４ｃ内を清掃する。これにより、洗濯槽３ｃ及び回転ドラム４ｃ内に浮遊するカビ菌等が除菌され、洗濯槽３ｃ及び回転ドラム４ｃが更に清潔になる。
【０１６５】
制御部６５ｃは、イオン発生器９１ｃがＰＣＩを発生させた場合、計時部６０ｃに指示して、イオン発生器９１ｃがＰＣＩを発生させている発生時間を計時させる。制御部６５ｃは、計時部６０ｃが計時している発生時間が記憶部６４ｃに予め記憶している第７基準時間に到達した場合、送風機９０ｃ及びイオン発生器９１ｃ夫々の作動を停止し、ＰＣＩによるドラム清掃運転を終了する。
【０１６６】
（実施の形態４）
実施の形態３における洗濯乾燥機１ｃは、イオン発生器９１ｃが発生したＰＣＩによるドラム清掃運転を、金属イオン水によるドラム清掃運転に引き続いて行っている。
しかしながら、金属イオン水によるドラム清掃運転とは無関係に、単独でＰＣＩによるドラム清掃運転を行ってもよい。言い換えると、金属イオン水によるドラム清掃運転を行わずに、ＰＣＩによるドラム清掃運転を行ってもよい。実施の形態４における洗濯機１はこのように構成されている。
【０１６７】
なお、実施の形態１，２における洗濯機１においても、実施の形態３，４における洗濯乾燥機１ｃと同様に、内槽２１内に空気を循環する循環風路と、循環風路に配置され空気を循環させる送風機と、循環風路内に正負のイオン（ＰＣＩ）を発生させるイオン発生器を設けてもよい。この場合、実施の形態１，２における洗濯機１においても、イオン発生器が発生したＰＣＩによって内槽２１を清掃することができる。
【０１６８】
また、実施の形態１，２夫々における対向電極板８ａ，８ｂ、及び、実施の形態３，４夫々における対向電極板７４ｃ，７４ｄ夫々の幅について、一端側における幅は他端側における幅よりも短くなくてもよく、例えば、対向電極板８ａ，８ｂ，７４ｃ，７４ｄの幅は一定であってもよい。
【０１６９】
更に、実施の形態１，２夫々で用いる対向電極板８ａ，８ｂ間の距離、及び、実施の形態３，４で用いる対向電極板７４ｃ，７４ｄ間の距離夫々について、一端側における距離は、他端における距離よりも長くなくてもよい。例えば、対向電極板８ａ，８ｂ間の距離、及び、対向電極板７４ｃ，７４ｄ間の距離は、長手方向に沿って一定であってもよい。
【０１７０】
（実施の形態５）
実施の形態１から４においては、実施の形態１，２夫々における対向電極板８ａ，８ｂ、及び、実施の形態３，４夫々における対向電極板７４ｃ，７４ｄを、洗濯物を収容する収容体の清掃に用いる装置、即ち、洗濯機に適用した例を説明した。
しかしながら、対向電極板８ａ，８ｂ（又は対向電極板７４ｃ，７４ｄ）を、洗濯物を収容する収容体以外の清掃に用いる装置、例えば、金属イオン水を風呂の浴槽に供給して浴槽を清掃する清掃装置に搭載した場合であっても同様の効果を奏する。即ち、対向電極板８ａ，８ｂ，７４ｃ，７４ｄが中途で分断される虞がなく、長期間、決められた量の金属イオンを含む金属イオン水を供給することができる。
【０１７１】
対向電極板８ａ，８ｂ、（又は対向電極板７４ｃ，７４ｄ）は、実施の形態１で述べたように、無駄な金属イオンを溶出しないので、金属イオンの溶出量を抑制することができる。このため、対向電極板８ａ，８ｂ（又は対向電極板７４ｃ，７４ｄ）を従来の対向電極板に比べて大きくする必要がなく、対向電極板８ａ，８ｂ（又は対向電極板７４ｃ，７４ｄ）の面積を小さくしても、決められた量の金属イオンを長期的に溶出することが可能となる。
【０１７２】
このため、対向電極板８ａ，８ｂ（又は対向電極板７４ｃ，７４ｄ）を矩形状にして、一辺を長くする必要がない。対向電極板８ａ，８ｂ（又は対向電極板７４ｃ，７４ｄ）について、図４に示すように端子棒側の一端側の幅を短く、他端側の幅を長くすることで、全体として面積を小さくしている。これにより、特に、金属イオンとして銀イオンを溶出する場合に、対向電極板８ａ，８ｂ（又は対向電極板７４ｃ，７４ｄ）の製造費用を大幅に低減することができる。また、対向電極板８ａ，８ｂ（又は対向電極板７４ｃ，７４ｄ）を、端子棒側で分断される虞がないように、図３のように配置することによって、長期間、安定して金属イオンを溶出することができる。
【０１７３】
更に、対向電極板８ａ，８ｂ（又は対向電極板７４ｃ，７４ｄ）から溶出した金属イオンを用いて行う前述の清掃運転においては、少ない金属イオン量で清掃を効率よく行えるため、金属イオンを水に溶出するための対向電極板を小さくしても、決められた量の金属イオンを安定して供給することができる。
【０１７４】
本発明に係る洗濯機は、洗濯物が収容される有底筒状の収容体（２１）と、該収容体（２１）を回転させる収容体駆動手段（３）と、該収容体（２１）内の底部に回転自在に取付けられて、回転によって前記収容体（２１）内の水を撹拌する撹拌翼（５）と、前記収容体（２１）に金属イオンを含む金属イオン水を供給するイオン水供給手段（８ａ，８ｂ，４１，７１）とを備える洗濯機（１）において、前記イオン水供給手段（８ａ，８ｂ，４１，７１）は、前記収容体駆動手段（３）が前記収容体（２１）を回転させている間に前記金属イオン水を供給するように構成してあることを特徴とする。
【０１７５】
本発明にあっては、洗濯物が収容される有底筒状の収容体（２１）内の底部に、回転によって収容体（２１）内の水を撹拌する撹拌翼（５）、例えばパルセータ（５）が回転自在に取付けられている。そして、例えば、収容体（２１）内の水が排出された状態で、収容体（２１）を回転させている間に、金属イオンを含む金属イオン水を収容体に供給する。
【０１７６】
これにより、例えば、収容体（２１）の底部に金属イオン水の排出路が設けられている場合、撹拌翼（５）の下側、具体的には、撹拌翼（５）における収容体（２１）の底部側を流れる金属イオン水は、収容体（２１）の回転によって生じる遠心力と排水路に流れようとする重力とのバランスによって撹拌翼（５）の下側に定着する。これにより、撹拌翼（５）の下側の除菌及び抗菌が行われ、撹拌翼（５）が清掃される。従って、金属イオン水の水量は撹拌翼（５）の下側が金属イオン水に接触する程度でよいので、少量の水及び金属イオンを用いて、構成部材である撹拌翼（５）を安価に清掃することが可能となる。
【０１７７】
本発明に係る洗濯機は、前記イオン水供給手段（８ａ，８ｂ，４１，７１）は、前記収容体駆動手段（３）が行う前記収容体（２１）の回転によって、前記撹拌翼（５）の前記底部側が前記金属イオン水に接触する水量の前記金属イオン水を供給するように構成してあることを特徴とする。
【０１７８】
本発明にあっては、撹拌翼（５）の下側を清掃するために供給される金属イオン水の水量は、収容体（２１）の回転によって撹拌翼（５）の下側が金属イオン水に接触する水量であればよい。
【０１７９】
本発明に係る洗濯機は、前記イオン水供給手段（８ａ，８ｂ，４１，７１）は、前記収容体駆動手段（３）が前記収容体（２１）を回転させた後に前記金属イオン水を供給するように構成してあることを特徴とする。
【０１８０】
本発明にあっては、収容体（２１）を収容体（２１）の軸周りに回転させた後に金属イオン水を収容体（２１）に供給する。例えば、洗濯物が収容体（２１）に収容されている場合、洗濯物が収容体（２１）の周壁に張り付いた状態で金属イオン水が収容体に供給されるので、洗濯物に吸収される金属イオンの量が少なく、効率的に撹拌翼（５）の下側が清掃される。
【０１８１】
本発明に係る洗濯機は、前記イオン水供給手段（８ａ，８ｂ，４１，７１）は、前記収容体（２１）の回転数が所定回転数となった後に前記金属イオン水を供給するように構成してあることを特徴とする。
【０１８２】
本発明にあっては、収容体（２１）の回転数が、例えば、金属イオン水が撹拌翼（５）の下側に定着する所定回転数となった後に金属イオン水が供給されるので、より少ない金属イオン水で撹拌翼（５）の下側が清掃される。
【０１８３】
本発明に係る洗濯機は、洗濯物が収容される有底筒状の収容体（２１，４ｃ）と、該収容体（２１，４ｃ）を回転させる収容体駆動手段（３，５ｃ）とを備え、前記収容体（２１，４ｃ）に濯ぎ水を供給して濯ぎを行う洗濯機（１，１ｃ）において、前記収容体（２１，４ｃ）に金属イオンを含む金属イオン水を供給するイオン水供給手段（８ａ，８ｂ，４１，７１，６１ｃ，７１ｃ，７４ｃ，７４ｄ）を備え、該イオン水供給手段（８ａ，８ｂ，４１，７１，６１ｃ，７１ｃ，７４ｃ，７４ｄ）は、前記金属イオン水の供給によって、前記収容体（２１，４ｃ）内に、前記濯ぎで該収容体（２１，４ｃ）に貯留される濯ぎ水の水位よりも低い水位の水を貯留し、前記収容体駆動手段（３，５ｃ）は、前記金属イオン水が供給された前記収容体（２１，４ｃ）を回転させるように構成してあることを特徴とする。
【０１８４】
本発明にあっては、洗濯物が収容される有底筒状の収容体（２１，４ｃ）を収容体（２１，４ｃ）の軸周りに回転させる。また、収容体（２１，４ｃ）に濯ぎ水を供給して濯ぎを行う。例えば、濯ぎを終了した後に、金属イオンを含む金属イオン水を供給する。このとき、収容体（２１，４ｃ）に貯留されている水の水位は濯ぎで収容体（２１，４ｃ）に貯留される濯ぎ水の水位よりも低い。
【０１８５】
このように、水位が濯ぎで収容体（２１，４ｃ）に貯留される濯ぎ水の水位よりも低い水が収容体（２１，４ｃ）に貯留されている状態で収容体（２１，４ｃ）を回転させる。収容体（２１，４ｃ）の回転によって収容体（２１，４ｃ）の周面に金属イオンが接触し、収容体（２１，４ｃ）の周面が清掃される。以上のように、少量の金属イオン水、即ち、少量の水及び金属イオンを用いて、構成部材である収容体（２１，４ｃ）が安価に清掃される。
【０１８６】
本発明に係る洗濯機は、前記濯ぎ水を前記収容体（２１）から排出する排水手段（６１）と、前記収容体（２１）の水位が所定水位になった場合に前記排水手段（６１）の排出を停止する停止手段（６１）とを備え、前記イオン水供給手段（８ａ，８ｂ，４１，７１）及び収容体駆動手段（３）夫々は、前記停止手段（６１）が前記排出を停止した後、前記金属イオン水の供給、及び、前記収容体（２１）の回転を行うように構成してあることを特徴とする。
【０１８７】
本発明にあっては、濯ぎ工程が終了した後に濯ぎ水を収容体（２１）から排出する。そして、収容体（２１）の水位が所定水位になった場合に濯ぎ水の排出を停止する。排水を停止した後、収容体（２１）を収容体（２１）の軸周りに回転させ、収容体（２１）に金属イオン水を供給する。
濯ぎで用いた水が更に収容体（２１）の清掃で用いられるため、より少ない水で濯ぎと収容体（２１）の清掃とが行われる。
【０１８８】
本発明に係る洗濯機は、前記収容体駆動手段（３）は、第１速度の回転と、該第１速度よりも速い第２速度の回転とを交互に繰り返し、前記第１速度及び第２速度の回転を繰り返した後に、前記第２速度よりも速い第３速度の回転を行うように構成してあることを特徴とする。
【０１８９】
本発明にあっては、第３速度は第２速度よりも速く、第２速度は第１速度よりも速い。第１速度で収容体を回転させることによって、収容体（２１）の周壁の下側、具体的には底部側に、金属イオン水を接触させ、収容体（２１）の周壁の下側を清掃する。第２速度で収容体（２１）を回転させることによって、収容体（２１）の周壁における中央部に金属イオン水を接触させ、収容体（２１）の周壁における中央部を清掃する。
【０１９０】
第１速度の収容体（２１）の回転と、第２速度の収容体（２１）の回転とを交互に繰り返すことによって、収容体（２１）の下側と中央部とを清掃する。第１速度及び第２速度の回転を繰り返し行った後に、第３速度で収容体（２１）を回転させることによって、収容体（２１）の上側を清掃する。
以上のように収容体（２１）の回転速度を変更することによって、収容体（２１）の周壁全体が清掃される。
【０１９１】
本発明に係る洗濯機は、前記収容体（４ｃ）内の空気が循環する循環風路（３７ｃ）と、該循環風路（３７ｃ）に配置され、前記空気を循環させる送風機（９０ｃ）と、前記循環風路（３７ｃ）内にイオンを発生させるイオン発生器（９１ｃ）とを備えることを特徴とする。
【０１９２】
本発明にあっては、収容体（４ｃ）内の空気が循環する循環風路（３７）に送風機（９０ｃ）が設けられており、送風機（９０ｃ）は循環風路（３７）内で空気を循環させる。例えば、収容体（４ｃ）内の水が排出された状態で、送風機（９０ｃ）によって空気を循環風路（３７）内に循環させ、かつ、イオン発生器（９１ｃ）が循環風路（３７ｃ）内にイオンを発生させた場合、収容体（４ｃ）内に浮遊するカビ菌等が除菌され、収容体（４ｃ）等の構成部材が更に清潔になる。
【０１９３】
本発明に係る洗濯機は、前記イオン水供給手段（８ａ，８ｂ，４１，７１，６１ｃ，７１ｃ，７４ｃ，７４ｄ）は、前記収容体（２１，４ｃ）に水を供給する水供給手段（７１，７１ｃ）と、該水供給手段（７１，７１ｃ）が供給する水の経路に配置され、該水に浸漬され、板面が互いに対向する対向電極板（８ａ，８ｂ，７４ｃ，７４ｄ）と、該対向電極板（８ａ，８ｂ，７４ｃ，７４ｄ）間に電圧を印加することによって、前記水供給手段（８ａ，８ｂ，４１，７１，６１ｃ，７１ｃ，７４ｃ，７４ｄ）が供給した水に前記金属イオンを溶出する溶出手段（４１，６１ｃ）とを有し、前記対向電極板（８ａ，８ｂ，７４ｃ，７４ｄ）夫々の幅について、前記一端側における幅は、前記他端側における幅よりも短いことを特徴とする。
【０１９４】
本発明にあっては、収容体（２１，４ｃ）に水を供給する経路に板面が互いに対向する対向電極板（８ａ，８ｂ，７４ｃ，７４ｄ）が配置されている。収容体（２１，４ｃ）に水を供給している間、対向電極板（８ａ，８ｂ，７４ｃ，７４ｄ）は水に浸漬される。対向電極板（８ａ，８ｂ，７４ｃ，７４ｄ）が水に浸漬された状態で対向電極板（８ａ，８ｂ，７４ｃ，７４ｄ）間に、例えば周期的に極性が反転する電圧を印加することによって、収容体（２１，４ｃ）に供給される水に金属イオンを長期間安定的に溶出し、金属イオン水が収容体（２１，４ｃ）に供給される。
【０１９５】
また、対向電極板（８ａ，８ｂ，７４ｃ，７４ｄ）夫々について、一端側における幅は、他端側における幅よりも短く、かつ、対向電極板（８ａ，８ｂ，７４ｃ，７４ｄ）の一端側における距離は、対向電極板（８ａ，８ｂ，７４ｃ，７４ｄ）の他端側における距離よりも長い。従って、対向電極板（８ａ，８ｂ，７４ｃ，７４ｄ）間の距離が短い部分における対向電極板（８ａ，８ｂ，７４ｃ，７４ｄ）の幅が大きいので、対向電極板（８ａ，８ｂ，７４ｃ，７４ｄ）の一端側に電圧を印加する場合、長期間、決められた量の金属イオンを含む金属イオン水を収容体（２１，４ｃ）に安定して供給することが可能となる。従って、少ない金属イオン水で清掃を行えるため、対向電極板（８ａ，８ｂ，７４ｃ，７４ｄ）の面積を小さく設計することができる。従って、対向電極板（８ａ，８ｂ，７４ｃ，７４ｄ）の面積を小さくすることができ、対向電極板（８ａ，８ｂ，７４ｃ，７４ｄ）の製造費用を、特に、金属イオンが銀イオンである場合に、大幅に低減することができる。
【０１９６】
本発明に係る洗濯機は、前記溶出手段（４１）は、前記水供給手段（７１）が所定量の水を前記収容体（２１）に供給した後に前記金属イオンを溶出するように構成してあることを特徴とする。
【０１９７】
本発明にあっては、所定量の水を収容体に供給した後に金属イオンを溶出し、金属イオン水を収容体（２１）に供給する。金属イオン水を最後に供給することによって、対向電極板（８ａ，８ｂ）から溶出した金属イオンが構成部材の清掃に、より効率的に用いられる。
【０１９８】
本発明に係る洗濯機は、前記対向電極板（８ａ，８ｂ，７４ｃ，７４ｄ）間の距離について、前記対向電極板（８ａ，８ｂ，７４ｃ，７４ｄ）の一端側における距離は、前記対向電極板（８ａ，８ｂ，７４ｃ，７４ｄ）の他端側における距離よりも長いことを特徴とする。
【０１９９】
本発明にあっては、対向電極板（８ａ，８ｂ，７４ｃ，７４ｄ）間の距離について、対向電極板（８ａ，８ｂ，７４ｃ，７４ｄ）の一端側における距離は、対向電極板（８ａ，８ｂ，７４ｃ，７４ｄ）の他端側における距離よりも長い。例えば、対向電極板（８ａ，８ｂ，７４ｃ，７４ｄ）夫々の一端側に電圧を印加することによって、金属イオンを溶出する場合、対向電極板（８ａ，８ｂ，７４ｃ，７４ｄ）間の距離が近い部分から金属イオンが溶出されるため、対向電極板（８ａ，８ｂ，７４ｃ，７４ｄ）は他側から溶ける。従って、電圧が印加される対向電極板（８ａ，８ｂ，７４ｃ，７４ｄ）の一端側に近い部分が溶けて、対向電極板（８ａ，８ｂ，７４ｃ，７４ｄ）が分断される虞がなく、長期間安定した状態で金属イオンを溶出することができる。
【符号の説明】
【０２００】
１  洗濯機
１ｃ  洗濯乾燥機
３  駆動モータ
４ｃ  回転ドラム
５  パルセータ
５ｃ  ドラムモータ
８ａ，８ｂ，７４ｃ，７４ｄ  対向電極板
２１  内槽
３７ｃ  循環風路
４１，６１ｃ  電圧印加部
６１  排水弁
７１，７１ｃ  給水弁
９０ｃ  送風機
９１ｃ  イオン発生器
【図１】
2015029842.tif 000003
【図２】
2015029842.tif 000004
【図３】
2015029842.tif 000005
【図４】
2015029842.tif 000006
【図５】
2015029842.tif 000007
【図６】
2015029842.tif 000008
【図７】
2015029842.tif 000009
【図８】
2015029842.tif 000010
【図９】
2015029842.tif 000011
【図１０】
2015029842.tif 000012
【図１１】
2015029842.tif 000013
【図１２】
2015029842.tif 000014
【図１３】
2015029842.tif 000015
【図１４】
2015029842.tif 000016
【図１５】
2015029842.tif 000017
【図１６】
2015029842.tif 000018
【図１７】
2015029842.tif 000019
【図１８】
2015029842.tif 000020
【図１９】
2015029842.tif 000021